(57)【要約】【課題】ＵＳＢ規格による接続を行う撮像装置において、コネクタの大型化を招くことなく、且つ、高い汎用性を実現し得る仕組みを提供する。【解決手段】ＵＳＢ規格に準拠したＵＳＢコネクタＡ１０８を備え、ＵＳＢコネクタＡ１０８を介してアダプタ装置２００を含むデバイスと電気的に接続可能に構成された撮像装置１００において、ＵＳＢコネクタＡ１０８を介して電気的にアダプタ装置２００が接続されているか否かを検知するとともに、アダプタ装置２００が接続されていることが検知された場合にアダプタ装置２００に接続されている他のデバイスがＵＳＢ規格とは異なる通信規格の通信を行えるデバイスであるか否かを検知するシステム制御回路Ａ１２１と、システム制御回路Ａ１２１による検知結果に応じて、ＵＳＢコネクタＡ１０８の各端子に割り当てる信号群を変更する処理を行うスイッチＡ１２２を備える。【選択図】図６
2018117188.tif 000002
【特許請求の範囲】
【請求項１】
ＵＳＢ規格に準拠したＵＳＢコネクタを備え、前記ＵＳＢコネクタを介してアダプタ装置を含むデバイスと電気的に接続可能に構成された撮像装置であって、
前記ＵＳＢコネクタを介して電気的に前記アダプタ装置が接続されているか否かを検知する第１の検知手段と、
前記第１の検知手段において前記アダプタ装置が接続されていることが検知された場合に、前記アダプタ装置に接続されている他のデバイスが前記ＵＳＢ規格とは異なる通信規格の通信を行えるデバイスであるか否かを検知する第２の検知手段と、
前記第１の検知手段による検知結果と前記第２の検知手段による検知結果とに応じて、前記ＵＳＢコネクタの各端子に割り当てる信号群を変更する処理を行う信号割り当て手段と
を有することを特徴とする撮像装置。
【請求項２】
前記信号割り当て手段は、
前記第１の検知手段において前記アダプタ装置が接続されていないことが検知された場合には、前記ＵＳＢ規格に準拠した第１の信号群を前記ＵＳＢコネクタの各端子に割り当て、
前記第１の検知手段において前記アダプタ装置が接続されていることが検知された場合には、前記第１の信号群とは異なる第２の信号群を前記ＵＳＢコネクタの各端子に割り当てる
ことを特徴とする請求項１に記載の撮像装置。
【請求項３】
前記第１の検知手段において前記アダプタ装置が接続されていることが検知された場合に、前記ＵＳＢコネクタに前記アダプタ装置が直接接続されているか否かを検知する第３の検知手段を更に有し、
前記信号割り当て手段は、更に、前記第３の検知手段による検知結果に応じて、前記ＵＳＢコネクタの各端子に割り当てる前記第２の信号群を変更する処理を行うことを特徴とする請求項２に記載の撮像装置。
【請求項４】
前記信号割り当て手段は、前記第３の検知手段により前記ＵＳＢコネクタに前記アダプタ装置が直接接続されていることが検知された場合と、前記第３の検知手段により前記ＵＳＢコネクタに前記アダプタ装置が直接接続されていないことが検知された場合とでは、前記第２の信号群を構成する少なくとも一部の信号を前記ＵＳＢコネクタの異なる端子に割り当てることを特徴とする請求項３に記載の撮像装置。
【請求項５】
前記アダプタ装置は、前記他のデバイスと接続を行うための複数のＵＳＢコネクタと、当該複数のＵＳＢコネクタに前記ＵＳＢ規格に準拠した通信を行うための信号を分岐させる分岐部を備えており、
前記ＵＳＢ規格とは異なる通信規格の通信は、前記分岐部を経由しない通信であることを特徴とする請求項１乃至４のいずれか１項に記載の撮像装置。
【請求項６】
前記アダプタ装置には、前記他のデバイスとは異なるストロボ装置が装着可能であり、
前記信号割り当て手段は、前記ストロボ装置が装着された時の前記ストロボ装置に関する信号のうちの一部の信号を前記ＵＳＢコネクタの各端子に割り当てる信号群に含めることを特徴とする請求項１乃至５のいずれか１項に記載の撮像装置。
【請求項７】
前記一部の信号には、前記ストロボ装置の発光指示信号が含まれていることを特徴とする請求項６に記載の撮像装置。
【請求項８】
当該撮像装置は、前記アダプタ装置との間で、通信速度の異なる少なくとも２つのＵＳＢ規格に準拠した通信を行えるように構成されており、
前記ストロボ装置に関する信号のうちの前記一部の信号を除く他の信号は、前記２つのＵＳＢ規格に準拠した通信のうちの低速通信に係る信号として通信されることを特徴とする請求項６または７に記載の撮像装置。
【請求項９】
前記２つのＵＳＢ規格に準拠した通信は、ＵＳＢ２．０規格の通信とＵＳＢ３．１規格の通信であることを特徴とする請求項８に記載の撮像装置。
【請求項１０】
前記ＵＳＢコネクタは、ＵＳＢ  ＴＹＰＥ  Ｃコネクタであることを特徴とする請求項１乃至９のいずれか１項に記載の撮像装置。
【請求項１１】
前記信号割り当て手段は、前記第１の信号群として、ＵＳＢ  ＴＹＰＥ  Ｃに標準の信号群を前記ＵＳＢコネクタの各端子に割り当てることを特徴とする請求項２乃至４のいずれか１項に記載の撮像装置。
【請求項１２】
請求項１乃至１１のいずれか１項に記載の撮像装置と、
前記アダプタ装置と
を有することを特徴とする撮像システム。
【請求項１３】
ＵＳＢ規格に準拠したＵＳＢコネクタを備え、前記ＵＳＢコネクタを介してアダプタ装置を含むデバイスと電気的に接続可能に構成された撮像装置の制御方法であって、
前記ＵＳＢコネクタを介して電気的に前記アダプタ装置が接続されているか否かを検知する第１の検知ステップと、
前記第１の検知ステップにおいて前記アダプタ装置が接続されていることが検知された場合に、前記アダプタ装置に接続されている他のデバイスが前記ＵＳＢ規格とは異なる通信規格の通信を行えるデバイスであるか否かを検知する第２の検知手段と、
前記第１の検知ステップによる検知結果と前記第２の検知ステップによる検知結果とに応じて、前記ＵＳＢコネクタの各端子に割り当てる信号群を変更する処理を行う信号割り当てステップと
を有することを特徴とする撮像装置の制御方法。
【発明の詳細な説明】
【技術分野】
【０００１】
本発明は、アダプタ装置を含むデバイスと電気的に接続可能に構成された撮像装置及びその制御方法、並びに、撮像装置とアダプタ装置とを含み構成された撮像システムに関するものである。
【背景技術】
【０００２】
近年、撮像装置であるデジタルカメラでは、外部インターフェースとして汎用コネクタであるＵＳＢ（Ｕｎｉｖｅｒｓａｌ  Ｓｅｒｉａｌ  Ｂｕｓ）コネクタを備えているものが知られている。
【０００３】
また、例えば、特許文献１には、ＵＳＢ接続を行いつつ、アダプタ装置の一構成であるアクセサリーシューに装着される外付けストロボ装置等のデバイスの制御を行う撮像装置が提案されている。
【先行技術文献】
【特許文献】
【０００４】
【特許文献１】特開２０１３−２０７３２５号公報
【発明の概要】
【発明が解決しようとする課題】
【０００５】
しかしながら、特許文献１に記載の撮像装置では、アクセサリーシューにおけるコネクタに、ＵＳＢ制御部からの信号、及び、当該撮像装置に電気的に接続されるデバイスを制御するための制御信号のそれぞれに、専用の端子を設けるものであった。このため、特許文献１に記載の撮像装置では、コネクタの端子数が多くなり、コネクタの大型化を招いてしまうという問題があった。
【０００６】
また、特許文献１に記載の撮像装置では、専用のコネクタ及び専用の端子の配列となっているため、ＵＳＢ通信手段を備えた一般的な電子機器とは直接接続することができず、汎用性に乏しいという問題もあった。
【０００７】
本発明は、このような問題点に鑑みてなされたものであり、ＵＳＢ規格による接続を行う撮像装置において、コネクタの大型化を招くことなく、且つ、高い汎用性を実現し得る仕組みを提供することを目的とする。
【課題を解決するための手段】
【０００８】
本発明の撮像装置は、ＵＳＢ規格に準拠したＵＳＢコネクタを備え、前記ＵＳＢコネクタを介してアダプタ装置を含むデバイスと電気的に接続可能に構成された撮像装置であって、前記ＵＳＢコネクタを介して電気的に前記アダプタ装置が接続されているか否かを検知する第１の検知手段と、前記第１の検知手段において前記アダプタ装置が接続されていることが検知された場合に、前記アダプタ装置に接続されている他のデバイスが前記ＵＳＢ規格とは異なる通信規格の通信を行えるデバイスであるか否かを検知する第２の検知手段と、前記第１の検知手段による検知結果と前記第２の検知手段による検知結果とに応じて、前記ＵＳＢコネクタの各端子に割り当てる信号群を変更する処理を行う信号割り当て手段とを有する。
また、本発明は、上述した撮像装置の制御方法、及び、上述した撮像装置と上述したアダプタ装置とを有する撮像システムを含む。
【発明の効果】
【０００９】
本発明によれば、ＵＳＢ規格による接続を行う撮像装置において、コネクタの大型化を招くことなく、且つ、高い汎用性を実現することが可能となる。
【図面の簡単な説明】
【００１０】
【図１】本発明の実施形態に係るデジタルカメラ（撮像装置）の外観の一例を示す図である。
【図２】本発明の実施形態に係るアダプタ装置の外観の一例を示す図である。
【図３】図１に示すデジタルカメラと図２に示すアダプタ装置とが電気的に接続されて構成されたカメラシステム（撮像システム）の外観の一例を示す図である。
【図４】図１に示すデジタルカメラが図２に示すアダプタ装置を介して各種のデバイスと電気的に接続されて構成されたカメラシステム（撮像システム）の外観の一例を示す図である。
【図５】図１に示すデジタルカメラが図３（ｂ）に示す通信ケーブルを介してスマートフォンに接続されて構成されたカメラシステム（撮像システム）の外観の一例を示す図である。
【図６】図１に示すデジタルカメラと図２に示すアダプタ装置とが直接接続されたカメラシステム（図３（ａ）のカメラシステム）の概略構成の一例を示す図である。
【図７】図１に示すデジタルカメラと図２に示すアダプタ装置とが通信ケーブルを介して接続されたカメラシステム（図３（ｂ）のカメラシステム）の概略構成の一例を示す図である。
【図８】図１に示すデジタルカメラと図５に示すスマートフォンとが通信ケーブルを介して接続されたカメラシステム（図５のカメラシステム）の概略構成の一例を示す図である。
【図９】図６に示すカメラシステム、図７に示すカメラシステム、及び、図８に示すカメラシステムにおいて、当該カメラシステムに含まれるデジタルカメラのＵＳＢ  ＴＹＰＥ  ＣコネクタＡの各端子に割り当てる信号群の一例を示す図である。
【図１０】本発明の実施形態に係るデジタルカメラのＵＳＢ  ＴＹＰＥ  ＣコネクタＡ内の各端子における信号割り当て処理の詳細な処理手順の一例を示すフローチャートである。
【図１１】図１に示すデジタルカメラと図２に示すアダプタ装置とが電気的に接続され、且つ、アダプタ装置に他のデバイスが電気的に接続されたカメラシステム（撮像システム）の外観の一例を示す図である。
【図１２】図１に示すデジタルカメラと図２に示すアダプタ装置とが通信ケーブルを介して電気的に接続され、且つ、アダプタ装置に他のデバイスが電気的に接続されたカメラシステム（撮像システム）の外観の一例を示す図である。
【図１３】図１１（ａ）〜図１２（ｂ）に示すカメラシステムにおいて、当該カメラシステムに含まれるデジタルカメラのＵＳＢ  ＴＹＰＥ  ＣコネクタＡ１０８の各端子に割り当てる信号群の一例を示す図である。
【図１４】図１０のステップＳ１０８における直接接続用アダプタ接続中処理の詳細な処理手順の一例を示すフローチャートである。
【図１５】図１０のステップＳ１１２におけるケーブル接続用アダプタ接続中処理の詳細な処理手順の一例を示すフローチャートである。
【発明を実施するための形態】
【００１１】
以下に、図面を参照しながら、本発明を実施するための形態（実施形態）について説明する。
【００１２】
図１は、本発明の実施形態に係るデジタルカメラ（撮像装置）１００の外観の一例を示す図である。具体的に、図１（ａ）は、デジタルカメラ１００を正面側（被写体側）から見た斜視図を示し、図１（ｂ）は、デジタルカメラ１００を背面側から見た斜視図を示している。
【００１３】
本実施形態に係るデジタルカメラ１００は、図１（ａ）に示すように、カメラ本体１０１の正面側に、レンズ鏡筒１０２が設けられている。また、カメラ本体１０１の上面部には、電源ボタン１０３、レリーズボタン１０４、モードダイアル１０５が設けられている。
【００１４】
また、本実施形態に係るデジタルカメラ１００は、図１（ｂ）に示すように、カメラ本体１０１の背面側に、ＬＣＤ等の表示ユニット１０６が設けられている。また、カメラ本体１０１を背面側から見て、表示ユニット１０６の右側には、各種操作ボタン群１０７が設けられている。また、カメラ本体１０１を背面側から見た際のカメラ本体１０１の右側の側面には、ＵＳＢ  ＴＹＰＥ  ＣコネクタＡ１０８と、アダプタ装置取り付けビス穴１０９が設けられている。ＵＳＢ  ＴＹＰＥ  ＣコネクタＡ１０８は、ＵＳＢ規格に準拠したＵＳＢコネクタであって、デジタルカメラ１００が有する唯一の外部インターフェースコネクタである。そして、本実施形態に係るデジタルカメラ１００は、このＵＳＢ  ＴＹＰＥ  ＣコネクタＡ１０８を介してアダプタ装置（図２の２００）を含むデバイスと電気的に接続可能に構成された撮像装置である。また、アダプタ装置取り付けビス穴１０９は、図２に示すアダプタ装置２００を固定するために用いられる。
【００１５】
図２は、本発明の実施形態に係るアダプタ装置２００の外観の一例を示す図である。この図２に示すアダプタ装置２００は、図１に示すデジタルカメラ（撮像装置）１００に取り付け可能に構成された装置である。具体的に、図２（ａ）は、アダプタ装置２００を正面側（被写体側）から見た斜視図を示し、図２（ｂ）は、アダプタ装置２００を背面側から見た斜視図を示している。
【００１６】
本実施形態に係るアダプタ装置２００は、図１に示すデジタルカメラ１００に取り付けることにより、デジタルカメラ１００において後述する外付けストロボ装置やリモートレリーズケーブル等を利用可能とするための装置である。このアダプタ装置２００は、図２（ａ）に示すように、天面部２０１、グリップ部２０５、及び、天面部２０１とグリップ部２０５とを連結する連結部２０９を有して構成されている。
【００１７】
図２（ａ）に示すように、アダプタ装置２００の天面部２０１の上面外側には、レリーズボタン２０２、ＵＳＢ  ＴＹＰＥ  ＣコネクタＤ２０３、外付けストロボ装置（図４の３２０）を固定して電気的な接続を行うためのアクセサリーシュー２０４が設けられている。
【００１８】
また、図２（ａ）に示すように、アダプタ装置２００のグリップ部２０５の外側には、２つのＵＳＢ  ＴＹＰＥ  ＣコネクタＤ２０６及びＵＳＢ  ＴＹＰＥ  ＣコネクタＤ２０７と、固定用第１ビス２０８が設けられている。この固定用第１ビス２０８のネジ山部は、図２（ｂ）に示すように、グリップ部２０５の内側に突出している。
【００１９】
また、図２（ｂ）に示すように、アダプタ装置２００の天面部２０１の側面には、リモートレリーズケーブル（図４の３２１）を接続するためのリモートレリーズケーブル接続用コネクタ２１２が設けられている。また、アダプタ装置２００の天面部２０１の内側から突出した突出部２１３には、ビス穴（不図示）が設けられており、この突出部２１３のビス穴（不図示）に固定用第２ビス２１４が螺合している。
【００２０】
また、図２（ｂ）に示すように、グリップ部２０５の内側には、ＵＳＢ  ＴＹＰＥ  Ｃプラグ２１０と、アダプタ装置２００のＵＳＢ  ＴＹＰＥ  ＣコネクタＢ２１１が設けられている。
【００２１】
図３は、図１に示すデジタルカメラ１００と図２に示すアダプタ装置２００とが電気的に接続されて構成されたカメラシステム（撮像システム）の外観の一例を示す図である。この図３において、図１及び図２に示す構成と同様の構成については同じ符号を付している。具体的に、図３（ａ）は、図１に示すデジタルカメラ１００と図２に示すアダプタ装置２００とが直接接続されたカメラシステムを示し、図３（ｂ）は、図１に示すデジタルカメラ１００と図２に示すアダプタ装置２００とが通信ケーブル３１０を介して接続されたカメラシステムを示している。
【００２２】
図３（ａ）に示すカメラシステムの場合、アダプタ装置２００のＵＳＢ  ＴＹＰＥ  Ｃプラグ２１０をデジタルカメラ１００のＵＳＢ  ＴＹＰＥ  ＣコネクタＡ１０８に直接挿し込む。また、図２の固定用第１ビス２０８を図１（ｂ）のデジタルカメラ１００に設けられたアダプタ装置取り付けビス穴１０９に螺合させ、さらに、図２（ｂ）の固定用第２ビス２１４を突出部２１３のビス穴に対して締め込んでいく。これにより、固定用第２ビス２１４の先端においてデジタルカメラ１００を押圧することによって、アダプタ装置２００をデジタルカメラ１００に対して固定することができる。
【００２３】
図３（ｂ）に示すカメラシステムの場合、まず、通信ケーブル３１０の一方端をアダプタ装置２００のＵＳＢ  ＴＹＰＥ  ＣコネクタＢ２１１に挿し込む。さらに、通信ケーブル３１０の他方端をデジタルカメラ１００のＵＳＢ  ＴＹＰＥ  ＣコネクタＡ１０８に挿し込むことによって、図１に示すデジタルカメラ１００と図２に示すアダプタ装置２００とが通信ケーブル３１０を介して接続される。
【００２４】
アダプタ装置２００には、図２において上述したように、外部インターフェースとしてアクセサリーシュー２０４、リモートレリーズケーブル接続用コネクタ２１２、ＵＳＢ  ＴＹＰＥ  ＣコネクタＤ２０３，２０６及び２０７が設けられている。このため、図３（ａ）や図３（ｂ）に示すようにデジタルカメラ１００とアダプタ装置２００が接続されると、これらの各装置に設けられた外部インターフェースを介して、これらの各装置の内部に構成された各回路（図６〜図７）が電気的に接続されることになる。これにより、デジタルカメラ１００は、アダプタ装置２００の外部インターフェースを利用して、外付けストロボ装置やリモートレリーズケーブル、或いは、ＵＳＢ規格によるＵＳＢ通信手段を備えた電子機器等の他のデバイスと電気的に接続することが可能となる。
【００２５】
図４は、図１に示すデジタルカメラ１００が図２に示すアダプタ装置２００を介して各種のデバイスと電気的に接続されて構成されたカメラシステム（撮像システム）の外観の一例を示す図である。具体的に、図４は、アダプタ装置２００のＵＳＢ  ＴＹＰＥ  Ｃプラグ２１０をデジタルカメラ１００のＵＳＢ  ＴＹＰＥ  ＣコネクタＡ１０８に直接挿し込んだ状態（図３（ａ）の状態）において、アダプタ装置２００の外部インターフェースのそれぞれに他のデバイスを接続した例を示す図である。
【００２６】
図４において、外付けストロボ装置３２０は、アダプタ装置２００のアクセサリーシュー２０４に固定されると同時に、アクセサリーシュー２０４を介してアダプタ装置２００と電気的に接続されている。このように、アダプタ装置２００には、外付けストロボ装置３２０が装着可能に構成されている。
【００２７】
リモートレリーズケーブル３２１の電気接点部（不図示）は、図２（ｂ）に示すリモートレリーズケーブル接続用コネクタ２１２に挿し込まれている。また、リモートレリーズケーブル３２１は、電気接点部とケーブル部とスイッチ保持部を含み構成されているが、図を簡略化するために、リモートレリーズケーブル３２１としては電気接点部の近傍のみを図示しており、その他の部分は省略している。この際、省略された部分であるスイッチ保持部には、デジタルカメラ１００のレリーズボタン１０４と同様な操作部が設けられている。このリモートレリーズケーブル３２１を用いることにより、ユーザーは、デジタルカメラ１００から離れた位置から当該デジタルカメラ１００の撮影動作を指示することができる。
【００２８】
外付け電子ファインダー３２２は、ＵＳＢ  ＴＹＰＥ  Ｃプラグ（不図示）を備えており、そのＵＳＢ  ＴＹＰＥ  Ｃプラグをアダプタ装置２００のＵＳＢ  ＴＹＰＥ  ＣコネクタＤ２０３に挿し込むことにより、アダプタ装置２００と電気的に接続されている。外付け電子ファインダー３２２とデジタルカメラ１００とは、アダプタ装置２００を介して、ＵＳＢ規格に準拠した通信方式により相互に通信を行っている。
【００２９】
通信ケーブル３２３及び３２４は、それぞれ、ケーブルの両端にＵＳＢ  ＴＹＰＥ  Ｃプラグ（不図示）を備えた通信ケーブルである。この通信ケーブル３２３及び３２４は、上述したようにケーブルの両端にＵＳＢ  ＴＹＰＥ  Ｃプラグを備えたケーブルであるが、図４では簡略化のために、一方端のＵＳＢ  ＴＹＰＥ  Ｃプラグ近傍のみを図示している。通信ケーブル３２３の一方端のＵＳＢ  ＴＹＰＥ  ＣプラグはＵＳＢ  ＴＹＰＥ  ＣコネクタＤ２０６に挿し込まれ、他方端のＵＳＢ  ＴＹＰＥ  Ｃプラグは他のデバイス（不図示）のＵＳＢ  ＴＹＰＥ  Ｃコネクタに挿し込まれる。同様に、通信ケーブル３２４の一方端のＵＳＢ  ＴＹＰＥ  ＣプラグはＵＳＢ  ＴＹＰＥ  ＣコネクタＤ２０７に挿し込まれ、他方端のＵＳＢ  ＴＹＰＥ  Ｃプラグはその他のデバイス（不図示）のＵＳＢ  ＴＹＰＥ  Ｃコネクタに挿し込まれる。このように、デジタルカメラ１００は、アダプタ装置２００を介してこれらの他のデバイス（不図示）とＵＳＢ規格等による通信を行うことができるように構成されている。
【００３０】
また、ＵＳＢ  ＴＹＰＥ  Ｃコネクタでは、Ａｌｔｅｒｎａｔｅ  Ｍｏｄｅ（以下、「「Ａｌｔ」と称する）による通信が規定されている。Ａｌｔ通信は、ＵＳＢ  ＴＹＰＥ  Ｃ規格に標準の信号群をＵＳＢ  ＴＹＰＥ  Ｃコネクタの各端子に割り当てる場合に対して、一部の端子に割り当てる信号を任意の他の信号に変更することにより、ＵＳＢ規格とは異なる通信規格の通信をＵＳＢ  ＴＹＰＥ  Ｃコネクタを介して利用することを可能とするものである。ここで、ＵＳＢ規格とは異なる通信規格としては、例えば、ＴｈｕｎｄｅｒｂｏｌｔやＤｉｓｐｌａｙＰｏｒｔ等が挙げられる。なお、このＡｌｔ通信は、分岐部であるＵＳＢハブ（図６，図７の２２４）を介した通信には利用できない旨が、ＵＳＢ  ＴＹＰＥ  Ｃの仕様に定められている。
【００３１】
図５は、図１に示すデジタルカメラ１００が図３（ｂ）に示す通信ケーブル３１０を介してスマートフォン３３０に接続されて構成されたカメラシステム（撮像システム）の外観の一例を示す図である。具体的に、図５は、スマートフォン３３０に設けられたＵＳＢ  ＴＹＰＥ  ＣコネクタＥ３３２に通信ケーブル３１０の一方端を挿し込み、また、通信ケーブル３１０の他方端をデジタルカメラ１００のＵＳＢ  ＴＹＰＥ  ＣコネクタＡ１０８に挿し込むことによって、デジタルカメラ１００とスマートフォン３３０とはＵＳＢ規格に準拠した通信を行うことが可能となる。本実施形態では、スマートフォン３３０は、ＵＳＢ３．１規格に準拠した通信を行うことができる。
【００３２】
次に、アダプタ装置２００のＵＳＢ  ＴＹＰＥ  Ｃプラグ２１０をデジタルカメラ１００のＵＳＢ  ＴＹＰＥ  ＣコネクタＡ１０８に直接挿し込んだ状態（図３（ａ）の状態）、アダプタ装置２００のＵＳＢ  ＴＹＰＥ  ＣコネクタＢ２１１に通信ケーブル３１０の一方端を挿し込むとともに他方端をデジタルカメラ１００のＵＳＢ  ＴＹＰＥ  ＣコネクタＡ１０８に挿し込んだ状態（図３（ｂ）の状態）、及び、スマートフォン３３０に設けられたＵＳＢ  ＴＹＰＥ  ＣコネクタＥ３３２に通信ケーブル３１０の一方端を挿し込むとともに他方端をデジタルカメラ１００のＵＳＢ  ＴＹＰＥ  ＣコネクタＡ１０８に挿し込んだ状態（図５の状態）のカメラシステム（撮像システム）における接続形態について、それぞれ、図６〜図８を用いて説明する。
【００３３】
図６は、図１に示すデジタルカメラ１００と図２に示すアダプタ装置２００とが直接接続されたカメラシステム（図３（ａ）のカメラシステム）の概略構成の一例を示す図である。なお、この図６においては、図１及び図２と同様の構成については同じ符号を付しているが、図面の簡略化等のために、図１及び図２に記載された構成のうち、一部の構成についてはその記載を省略している。
【００３４】
まず、図６のデジタルカメラ１００における各機能構成について説明する。
図６に示すデジタルカメラ１００には、ＵＳＢ  ＴＹＰＥ  ＣコネクタＡ１０８、システム制御回路Ａ１２１、スイッチＡ１２２、コントローラＡ１２３が設けられている。
【００３５】
システム制御回路Ａ１２１は、デジタルカメラ１００における各種の制御を司っている。コントローラＡ１２３は、システム制御回路Ａ１２１からの指示に基づいて、或いは、ＵＳＢ  ＴＹＰＥ  ＣコネクタＡ１０８に接続されたアダプタ装置２００等の外部機器における内部のコントローラとの通信結果に基づいて、スイッチＡ１２２に信号接続切り替え指示を送信する。ＵＳＢ  ＴＹＰＥ  ＣコネクタＡ１０８は、そのコネクタ内に複数の端子（不図示）を有して構成されている。そして、スイッチＡ１２２は、コントローラＡ１２３等からの信号接続切り替え指示に基づいて、ＵＳＢ  ＴＹＰＥ  ＣコネクタＡ１０８内の各端子に所定の信号を割り当てる信号割り当て手段としての役割を担う。このＵＳＢ  ＴＹＰＥ  ＣコネクタＡ１０８内の各端子への所定の信号の割り当てに関しては、後で詳述する。また、コントローラＡ１２３は、ＵＳＢ  ＴＹＰＥ  ＣコネクタＡ１０８を介したアダプタ装置２００等の外部機器との電力の授受を制御する役割も担う。
【００３６】
次いで、図６のアダプタ装置２００における各機能構成について説明する。
図６に示すアダプタ装置２００には、レリーズボタン２０２、ＵＳＢ  ＴＹＰＥ  ＣコネクタＤ２０３，２０６，２０７、アクセサリーシュー２０４、ＵＳＢ  ＴＹＰＥ  Ｃプラグ２１０、ＵＳＢ  ＴＹＰＥ  ＣコネクタＢ２１１、リモートレリーズケーブル接続用コネクタ２１２、スイッチＢ２２１、コントローラＢ２２２、電源回路２２３、ＵＳＢハブ２２４、ストロボ発光制御スイッチ２２５、ストロボ発光制御回路２２６、システム制御回路Ｂ２２７、スイッチＣ２２８が設けられている。
【００３７】
コントローラＢ２２２は、ＵＳＢ  ＴＹＰＥ  Ｃプラグ２１０に接続されたデジタルカメラ１００内のコントローラＡ１２３との通信結果に基づいて、スイッチＢ２２１に信号接続切り替え指示を送信する役割を担う。そして、スイッチＢ２２１は、コントローラＢ２２２からの信号接続切り替え指示に基づいて、ＵＳＢ  ＴＹＰＥ  Ｃプラグ２１０内の各端子に所定の信号を割り当てる役割を担う。
【００３８】
また、コントローラＢ２２２は、ＵＳＢ  ＴＹＰＥ  Ｃプラグ２１０或いはＵＳＢ  ＴＹＰＥ  ＣコネクタＢ２１１を介したデジタルカメラ１００との電力の授受を制御する役割も担う。さらに、コントローラＢ２２２は、ＵＳＢ  ＴＹＰＥ  ＣコネクタＤ２０３，２０６，２０７に接続されたＵＳＢ機器が、ＵＳＢ２．０通信の対応デバイスであるか或いはＵＳＢ３．１通信の対応デバイスであるかを後述するＣＣ１信号を用いて検知することが可能である。ここで、ＵＳＢ３．１通信の対応デバイスは、ＵＳＢ２．０通信の対応デバイスよりも高速通信が可能なデバイスである。即ち、ＵＳＢ２．０通信の対応デバイスは、一般的にＵＳＢ３．１通信の対応デバイスよりも低速通信を行うデバイスである。コントローラＢ２２２がデジタルカメラ１００から受け取った電力は、電源回路２２３に供給される。電源回路２２３は、アダプタ装置２００内のコントローラＢ２２２やストロボ発光制御回路２２６、システム制御回路Ｂ２２７等に、それぞれ必要な電力を供給する役割を担う。なお、図６においては、図の簡略化のために、電源回路２２３からストロボ発光制御回路２２６やシステム制御回路Ｂ２２７等への電力供給を担う線は省略して示している。
【００３９】
ストロボ発光制御回路２２６は、ＵＳＢ  ＴＹＰＥ  Ｃプラグ２１０を介したデジタルカメラ１００のシステム制御回路Ａ１２１からの制御信号或いはシステム制御回路Ｂ２２７からの制御信号に基づいて、アクセサリーシュー２０４に電気的に接続された外付けストロボ装置３２０の発光を制御する回路である。ストロボ発光制御スイッチ２２５は、ストロボ発光制御回路２２６が送信する外付けストロボ装置発光指示信号を受信すると、外付けストロボ装置３２０の発光待機信号とアダプタ装置２００内のグランド信号を短絡させる役割を担う。ここで、外付けストロボ装置３２０は、発光待機信号とアダプタ装置２００内のグランド信号が短絡すると、閃光を発光するように構成されている。
【００４０】
システム制御回路Ｂ２２７は、ＵＳＢ  ＴＹＰＥ  Ｃプラグ２１０の信号線を介して、デジタルカメラ１００のシステム制御回路Ａ１２１と通信する役割を担う。例えば、システム制御回路Ｂ２２７は、システム制御回路Ａ１２１からアクセサリーシュー２０４に接続された外付けストロボ装置３２０に関する信号を制御するよう命令を受けて、ストロボ発光制御回路２２６やアクセサリーシュー２０４に信号を送信する。また、例えば、システム制御回路Ｂ２２７は、外付けストロボ装置３２０の情報を受けた際には、当該情報をシステム制御回路Ａ１２１に送信する。
【００４１】
ＵＳＢハブ２２４は、ＵＳＢ通信のための信号をＵＳＢ  ＴＹＰＥ  ＣコネクタＤ２０３，２０６，２０７のそれぞれに分配する機能を有している。コントローラＢ２２２は、ＵＳＢ  ＴＹＰＥ  ＣコネクタＤ２０３，２０６，２０７に接続される通信機器との通信結果に基づいて、スイッチＣ２２８に信号接続切り替え指示を送信する。スイッチＣ２２８は、コントローラＢ２２２からの信号接続切り替え指示に基づいて、ＵＳＢ  ＴＹＰＥ  ＣコネクタＤ２０３，２０６，２０７の各端子に所定の信号を割り当てる役割と、所定の信号をＵＳＢハブ２２４と接続するか或いはＵＳＢハブ２２４を経由せずにスイッチＢ２２１に直接接続するかを切り替える役割を担う。また、コントローラＢ２２２は、ＵＳＢ  ＴＹＰＥ  ＣコネクタＤ２０３，２０６，２０７に接続される通信機器との電力の授受を制御する役割も担う。
【００４２】
レリーズボタン２０２は、２段階の押圧を検出できる操作部となっている。このレリーズボタン２０２は、１段階目の検出でＳＷ１信号、２段階目の検出でＳＷ２信号をデジタルカメラ１００のシステム制御回路Ａ１２１に送信する。具体的に、レリーズボタン２０２からの各信号は、スイッチＢ２２１、ＵＳＢ  ＴＹＰＥ  Ｃプラグ２１０或いはＵＳＢ  ＴＹＰＥ  ＣコネクタＢ２１１、デジタルカメラ１００のＵＳＢ  ＴＹＰＥ  ＣコネクタＡ１０８及びスイッチＡ１２２を介して、システム制御回路Ａ１２１に送信される。
【００４３】
そして、デジタルカメラ１００のシステム制御回路Ａ１２１は、ＳＷ１信号を受信すると、焦点調整やシャッタースピードの計算等の撮影事前準備処理を行い、また、ＳＷ２信号を受信すると、レンズ鏡筒１０２によって結像された画像の撮影処理を行う。ここで、撮影事前準備処理や画像の撮影処理は、広く知られた技術であるので、その詳細な説明は省略する。また、画像の撮影処理の際には、必要に応じて、上述した外付けストロボ装置３２０の閃光の発光が行われる。
【００４４】
また、上述したように、リモートレリーズケーブル接続用コネクタ２１２は、リモートレリーズケーブル３２１を接続するためのコネクタである。このリモートレリーズケーブル３２１にも、レリーズボタン２０２と同様な操作部が設けられており、１段階目の検出でＳＷ１信号、２段階目の検出でＳＷ２信号を送信する。アダプタ装置２００内でレリーズボタン２０２からのＳＷ１信号及びＳＷ２信号の信号経路と、リモートレリーズケーブル接続用コネクタ２１２からのＳＷ１信号及びＳＷ２信号の信号経路とは、合流してスイッチＢ２２１を介して、アダプタ装置２００のＵＳＢ  ＴＹＰＥ  Ｃプラグ２１０及びＵＳＢ  ＴＹＰＥ  ＣコネクタＢ２１１内の各端子に接続される。
【００４５】
図７は、図１に示すデジタルカメラ１００と図２に示すアダプタ装置２００とが通信ケーブル３１０を介して接続されたカメラシステム（図３（ｂ）のカメラシステム）の概略構成の一例を示す図である。なお、図７において、図６に示す構成と同様の構成については同じ符号を付しており、その詳細な説明は省略する。また、この図７においては、図６と同様に、図面の簡略化等のために、図１及び図２に記載された構成のうち、一部の構成についてはその記載を省略している。
【００４６】
具体的に、図７のカメラシステムでは、デジタルカメラ１００のＵＳＢ  ＴＹＰＥ  ＣコネクタＡ１０８とアダプタ装置２００のＵＳＢ  ＴＹＰＥ  ＣコネクタＢ２１１とが通信ケーブル３１０を介して電気的に接続され、電力や各種の信号の授受を行っている。
【００４７】
図８は、図１に示すデジタルカメラ１００と図５に示すスマートフォン３３０とが通信ケーブル３１０を介して接続されたカメラシステム（図５のカメラシステム）の概略構成の一例を示す図である。具体的に、図８は、スマートフォン３３０に設けられたＵＳＢ  ＴＹＰＥ  ＣコネクタＥ３３２に通信ケーブル３１０の一方端を挿し込むとともに他方端をデジタルカメラ１００のＵＳＢ  ＴＹＰＥ  ＣコネクタＡ１０８に挿し込んだ状態を示している。なお、図８において、図６及び図７に示す構成と同様の構成については同じ符号を付しており、その詳細な説明は省略する。また、この図８においては、図６及び図７と同様に、図面の簡略化等のために、図１に記載された構成のうち、一部の構成についてはその記載を省略している。
【００４８】
ここで、図８に示すデジタルカメラ１００における各機能構成は、図６（或いは図７）に示すデジタルカメラ１００における各機能構成と同様であるため、その説明は省略する。
【００４９】
次いで、図８のスマートフォン３３０における各機能構成について説明する。
図８に示すスマートフォン３３０には、システム制御回路Ｃ３３１、ＵＳＢ  ＴＹＰＥ  ＣコネクタＥ３３２が設けられている。システム制御回路Ｃ３３１は、スマートフォン３３０における各種の制御を司っている。スマートフォン３３０は、上述したように、ＵＳＢ規格に準拠した通信を他の機器と行うことができるように構成されている。図８の場合には、デジタルカメラ１００のシステム制御回路Ａ１２１とスマートフォン３３０のシステム制御回路Ｃ３３１とは、デジタルカメラ１００のＵＳＢ  ＴＹＰＥ  ＣコネクタＡ１０８、通信ケーブル３１０及びスマートフォン３３０のＵＳＢ  ＴＹＰＥ  ＣコネクタＥ３３２を介して、ＵＳＢ規格に準拠した通信信号の授受を行っている。
【００５０】
上述したように、スイッチＡ１２２は、コントローラＡ１２３の指示に基づいて、デジタルカメラ１００のＵＳＢ  ＴＹＰＥ  ＣコネクタＡ１０８内の各端子に所定の信号を割り当てる役割を担う。この信号の割り当てについて、以下に、より詳細に説明を行う。
【００５１】
図９は、図６に示すカメラシステム、図７に示すカメラシステム、及び、図８に示すカメラシステムにおいて、当該カメラシステムに含まれるデジタルカメラ１００のＵＳＢ  ＴＹＰＥ  ＣコネクタＡ１０８の各端子に割り当てる信号群の一例を示す図である。
【００５２】
まず、図９（ａ）の説明を行う。
図９（ａ）は、図６に示すカメラシステム、即ち、図３（ａ）に示すデジタルカメラ１００とアダプタ装置２００とが直接接続されたカメラシステムにおいて、ＵＳＢ  ＴＹＰＥ  ＣコネクタＡ１０８の各端子に割り当てる信号群の一例を示す図である。
【００５３】
図９に示すように、デジタルカメラ１００のＵＳＢ  ＴＹＰＥ  ＣコネクタＡ１０８は、Ａ列とＢ列との２列の端子配列構造を有しており、また、各列に１２端子ずつ、全部で２４端子を有するコネクタとなっている。この図９に示す例では、Ａ列の各端子をＡ１からＡ１２と名付け、また、Ｂ列の各端子をＢ１からＢ１２と名付けている。
【００５４】
図９（ａ）に示すように、端子Ａ１，Ａ１２，Ｂ１及びＢ１２には、ＧＮＤ信号が割り当てられている。ＧＮＤ信号は、デジタルカメラ１００及びアダプタ装置２００の基準電位となるグランド信号である。また、端子Ａ２，Ａ３，Ｂ１０，Ｂ１１には、それぞれ、ＴＸ１＋信号，ＴＸ１−信号，ＲＸ１−信号，ＲＸ１＋信号が割り当てられている。このＴＸ１＋信号，ＴＸ１−信号，ＲＸ１＋信号，ＲＸ１−信号は、ＴＸ１＋信号とＴＸ１−信号とが、また、ＲＸ１＋信号とＲＸ１−信号とが、それぞれペアの差動信号となっており、ＵＳＢ３．１規格の通信を行うための信号である。
【００５５】
また、端子Ａ４，Ａ９，Ｂ４及びＢ９には、ＶＢＵＳ信号が割り当てられている。ＶＢＵＳ信号は、電力のやり取りを行うための信号である。また、端子Ｂ２，Ｂ３，Ａ１０，Ａ１１には、それぞれ、ＴＸ２＋信号，ＴＸ２−信号，ＲＸ２−信号，ＲＸ２＋信号が割り当てられている。このＴＸ２＋信号，ＴＸ２−信号，ＲＸ２−信号，ＲＸ２＋信号は、それぞれ、上述した、ＴＸ１＋信号，ＴＸ１−信号，ＲＸ１−信号、ＲＸ１＋信号と同様の役割を担っている。即ち、ＴＸ２＋信号とＴＸ２−信号とが、また、ＲＸ２＋信号とＲＸ２−信号とが、それぞれペアの差動信号となっており、これらは、ＵＳＢ３．１規格の通信を行うための信号である。即ち、図９（ａ）に示す信号群の割り当てでは、ＵＳＢ３．１通信が２系統設けられていることになる。
【００５６】
また、端子Ａ５には、ＣＣ１信号が割り当てられている。このＣＣ１信号は、デジタルカメラ１００内のコントローラＡ１２３とＵＳＢ  ＴＹＰＥ  ＣコネクタＡ１０８を介して接続された他のデバイス内のコントローラとの情報のやり取りを行うための信号である。このＣＣ１信号での通信により、デジタルカメラ１００は、接続された他のデバイスの通信方式を知ることができると同時に、他のデバイスは、デジタルカメラ１００の通信方式を知ることができる。例えば、デジタルカメラ１００がＵＳＢ  ＴＹＰＥ  ＣコネクタＡ１０８を介してアダプタ装置２００に接続されると、デジタルカメラ１００とアダプタ装置２００とは、それぞれ相手の通信方式を知ることができる。その結果、接続されたデバイスが何であるかを把握することが可能となるため、デジタルカメラ１００は、接続相手がアダプタ装置２００であることを認識することができ、また、アダプタ装置２００は、接続相手がデジタルカメラ１００であることを認識することができる。図１０のフローチャートを用いて後述するように、デジタルカメラ１００のＵＳＢ  ＴＹＰＥ  ＣコネクタＡ１０８内の各端子に所定の信号を割り当てる際には、事前に接続されたデジタルカメラ１００と他のデバイスとの間でＣＣ１信号による通信を行う。
【００５７】
また、端子Ａ６，Ａ７には、それぞれ、Ｄ＋信号，Ｄ−信号が割り当てられている。Ｄ＋信号とＤ−信号とはペアの差動信号となっており、ＵＳＢ２．０規格の通信を行うための信号である。図９（ａ）に示す信号群の割り当てでは、Ｄ＋信号とＤ−信号は、デジタルカメラ１００のシステム制御回路Ａ１２１とアダプタ装置２００のシステム制御回路Ｂ２２７との通信を行う専用信号となっている。
【００５８】
また、端子Ｂ５，Ｂ６には、それぞれ、ＳＷ１信号，ＳＷ２信号が割り当てられている。ＳＷ１信号とＳＷ２信号は、上述したように、デジタルカメラ１００のシステム制御回路Ａ１２１が撮影事前準備処理や画像の撮影処理を行うトリガーとなる信号である。
【００５９】
上述したように、デジタルカメラ１００のシステム制御回路Ａ１２１は、アダプタ装置２００のシステム制御回路Ｂ２２７に対して、外付けストロボ装置３２０に関する制御信号を送信している。この際、図９（ａ）に示す信号群の割り当てでは、システム制御回路Ａ１２１とシステム制御回路Ｂ２２７との通信を端子Ａ６，Ａ７に割り当てられているＤ＋信号，Ｄ−信号のＵＳＢ２．０規格に準拠した通信を使用している。また、端子Ｂ７には、ＳＴＲＯＢＥ  ＦＬＡＳＨ信号が割り当てられている。デジタルカメラ１００のレリーズ動作に合わせて外付けストロボ装置３２０の発光指示を行う必要があるため、図９（ａ）では、外付けストロボ装置３２０に関する信号の中で通信速度の優先度が高いＳＴＲＯＢＥ  ＦＬＡＳＨ信号を専用信号として割り当てている。そして、図９（ａ）の場合、このＳＴＲＯＢＥ  ＦＬＡＳＨ信号以外の信号である、通信速度の優先度が低い外付けストロボ装置３２０に関する信号は、端子Ａ６，Ａ７に割り当てられているＤ＋信号，Ｄ−信号のＵＳＢ２．０規格に準拠した通信を使用している。ここで、端子Ａ６，Ａ７に割り当てられているＤ＋信号，Ｄ−信号を使用して通信する、ＳＴＲＯＢＥ  ＦＬＡＳＨ信号以外の外付けストロボ装置３２０に関する信号としては、ＳＴＤＥＴ  ＳＷ信号、ＥＦ  ＣＬＯＣＫ信号、ＳＴＲＯＢＥ  ＣＬＯＣＫ信号、ＥＦ  ＣＨＩＰ  ＳＥＬＥＴ信号、ＳＴＲＯＢＥ  ＴＸ信号、ＳＴＲＯＢＥ  ＲＸ信号が挙げられる。これらの信号は、アクセサリーシュー２０４に取り付けられる外付けストロボ装置３２０に関する信号である。
【００６０】
具体的に説明すると、ＳＴＲＯＢＥ  ＦＬＡＳＨ信号は、ストロボ発光制御回路２２６がＳＴＲＯＢＥ  ＦＬＡＳＨ信号を検知すると、ストロボ発光制御回路２２６がストロボ発光制御スイッチ２２５に外付けストロボ装置発光指示信号を送出するための信号である。ＳＴＤＥＴ  ＳＷ信号は、アクセサリーシュー２０４に外付けストロボ装置３２０が装着されているか否かを検知するための信号である。ＥＦ  ＣＬＯＣＫ信号は、ストロボ発光制御回路２２６内のストロボ発光制御ＩＣ（不図示）が動作するためのクロック信号である。ＳＴＲＯＢＥ  ＴＸ信号は、デジタルカメラ１００のシステム制御回路Ａ１２１からストロボ発光制御ＩＣ（不図示）に情報を送信するための信号である。また、ＳＴＲＯＢＥ  ＲＸ信号は、ストロボ発光制御ＩＣ（不図示）からデジタルカメラ１００のシステム制御回路Ａ１２１に情報を送信するための信号である。ＳＴＲＯＢＥ  ＣＬＯＣＫ信号は、ＳＴＲＯＢＥ  ＴＸ信号とＳＴＲＯＢＥ  ＲＸ信号を用いた通信の際の基準クロック信号である。ＥＦ  ＣＨＩＰ  ＳＥＬＥＴ信号は、ＳＴＲＯＢＥ  ＴＸ信号とＳＴＲＯＢＥ  ＲＸ信号を用いた通信を、デジタルカメラ１００のシステム制御回路Ａ１２１とストロボ発光制御ＩＣ（不図示）との間で維持するための信号である。ＳＴＲＯＢＥ  ＴＸ信号とＳＴＲＯＢＥ  ＲＸ信号を用いた通信を行うことにより、デジタルカメラ１００のシステム制御回路Ａ１２１とストロボ発光制御ＩＣ（不図示）との間で、デジタルカメラ１００の撮影条件の設定情報や外付けストロボ装置３２０による閃光の発光が可能な状態かどうか等の種々の情報のやり取りを行うことができる。このように、本実施形態においては、外付けストロボ装置３２０に関する信号とは、ＳＴＲＯＢＥ  ＦＬＡＳＨ信号、ＳＴＤＥＴ  ＳＷ信号、ＥＦ  ＣＬＯＣＫ信号、ＳＴＲＯＢＥ  ＣＬＯＣＫ信号、ＥＦ  ＣＨＩＰ  ＳＥＬＥＴ信号、ＳＴＲＯＢＥ  ＴＸ信号、ＳＴＲＯＢＥ  ＲＸ信号が該当する。
【００６１】
また、ＳＷ１信号、ＳＷ２信号、ＳＴＲＯＢＥ  ＦＬＡＳＨ信号、ＳＴＤＥＴ  ＳＷ信号、ＥＦ  ＣＬＯＣＫ信号、ＳＴＲＯＢＥ  ＣＬＯＣＫ信号、ＥＦ  ＣＨＩＰ  ＳＥＬＥＴ信号、ＳＴＲＯＢＥ  ＴＸ信号及びＳＴＲＯＢＥ  ＲＸ信号は、後述するＵＳＢ  ＴＹＰＥ  Ｃの標準の信号割り当てには存在しない信号であり、アダプタ装置２００とデジタルカメラ１００とが接続された場合にのみ使用する専用の信号であるので、以下「専用信号」と称する。
【００６２】
次いで、図９（ｂ）の説明を行う。
図９（ｂ）は、図７に示すカメラシステム、即ち、図３（ｂ）に示すデジタルカメラ１００とアダプタ装置２００とが通信ケーブル３１０を介して接続されたカメラシステムにおいて、ＵＳＢ  ＴＹＰＥ  ＣコネクタＡ１０８の各端子に割り当てる信号群の一例を示す図である。この図９（ｂ）において、図９（ａ）で説明した信号と同様の信号については同じ符号を付している。
【００６３】
図９（ｂ）に示すように、端子Ａ１，Ａ１２，Ｂ１及びＢ１２には、ＧＮＤ信号が割り当てられている。また、端子Ａ４，Ａ９，Ｂ４及びＢ９には、ＶＢＵＳ信号が割り当てられている。また、端子Ａ５には、ＣＣ１信号が割り当てられている。また、端子Ａ６，Ａ７には、それぞれ、Ｄ＋信号，Ｄ−信号が割り当てられており、デジタルカメラ１００のシステム制御回路Ａ１２１とアダプタ装置２００のシステム制御回路Ｂ２２７との通信を行うための専用信号となっている。
【００６４】
また、端子Ｂ１０には、ＳＴＲＯＢＥ  ＦＬＡＳＨ信号が割り当てられている。図９（ｂ）の場合も、図９（ａ）の場合と同様に、外付けストロボ装置３２０に関する信号の中で通信速度の優先度が高いＳＴＲＯＢＥ  ＦＬＡＳＨ信号を専用信号として割り当てている。そして、図９（ｂ）の場合も、このＳＴＲＯＢＥ  ＦＬＡＳＨ信号以外の信号である、通信速度の優先度が低い外付けストロボ装置３２０に関する信号は、端子Ａ６，Ａ７に割り当てられているＤ＋信号，Ｄ−信号のＵＳＢ２．０規格に準拠した通信を使用している。通信速度の優先度が低い外付けストロボ装置３２０に関する信号としては、ＳＴＤＥＴ  ＳＷ信号、ＥＦ  ＣＬＯＣＫ信号、ＳＴＲＯＢＥ  ＣＬＯＣＫ信号、ＥＦ  ＣＨＩＰ  ＳＥＬＥＴ信号、ＳＴＲＯＢＥ  ＴＸ信号、ＳＴＲＯＢＥ  ＲＸ信号が挙げられる。
【００６５】
また、端子Ａ８，Ｂ８には、それぞれ、ＳＢＵ１信号，ＳＢＵ２信号が割り当てられている。このＳＢＵ１信号及びＳＢＵ２信号は、予備の信号であり、特定の役割は担っていない。また、端子Ａ２，Ａ３には、それぞれ、ＳＷ１信号とＳＷ２信号が割り当てられている。一方、端子Ｂ５，Ｂ６，Ｂ７及びＢ１１には、どの信号も割り当てられていない。
【００６６】
図９（ａ）に示した信号割り当てと、図９（ｂ）に示した信号割り当てについて、異なっている点を以下に説明する。
まず、図９（ａ）において、端子Ｂ５，Ｂ６に割り当てられていたＳＷ１信号，ＳＷ２信号は、図９（ｂ）においては、端子Ａ２，Ａ３に割り当てられている。また、図９（ａ）において、端子Ｂ７に割り当てられていたＳＴＲＯＢＥ  ＦＬＡＳＨ信号は、図９（ｂ）においては、端子Ｂ１０に割り当てられている。また、図９（ｂ）においては、端子Ｂ５，Ｂ６，Ｂ７，Ｂ１１には、いかなる信号も割り当てられていない。また、図９（ａ）において、端子Ａ２，Ａ３，Ｂ１０，Ｂ１１にそれぞれ割り当てられていたＴＸ１＋信号，ＴＸ１−信号，ＲＸ１−信号，ＲＸ１＋信号は、図９（ｂ）においてはどの端子にも割り当てられていない。即ち、図９（ｂ）における信号割り当てでは、ＵＳＢ３．１規格の通信には、端子Ｂ２，Ｂ３，Ａ１０，Ａ１１にそれぞれ割り当てられているＴＸ２＋信号，ＴＸ２−信号，ＲＸ２−信号，ＲＸ２＋信号の１系統が設けられる。
【００６７】
以下に、図６に示すカメラシステム（図３（ａ）に示すデジタルカメラ１００とアダプタ装置２００とが直接接続されたカメラシステム）と、図７に示すカメラシステム（図３（ｂ）に示すデジタルカメラ１００とアダプタ装置２００とが通信ケーブル３１０を介して接続されたカメラシステム）とで、図９（ａ）及び図９（ｂ）に示すように、信号割り当てが異なる理由について説明する。
【００６８】
ＵＳＢ  ＴＹＰＥ  Ｃ規格に準拠した通信ケーブルには、２つの種類が存在する。１つ目は、端子Ｂ５，Ｂ６，Ｂ７に対応した信号端子がないケーブルであり、２つ目は、端子Ｂ６，Ｂ７に対応した信号端子がないケーブルである。このような構成となっているのは、ケーブル内の導体線の数を少なくして、ケーブルの太さや固さを低減するためである。
【００６９】
本実施形態における通信ケーブル３１０は、端子Ｂ５，Ｂ６，Ｂ７に対応した信号端子がないケーブルを想定したものである。したがって、アダプタ装置２００のＵＳＢ  ＴＹＰＥ  ＣコネクタＢ２１１に通信ケーブル３１０の一方端を挿し込み、また、通信ケーブル３１０の他方端をデジタルカメラ１００のＵＳＢ  ＴＹＰＥ  ＣコネクタＡ１０８に挿し込んで図９（ａ）に示す信号割り当てを行うと、ＳＷ１信号、ＳＷ２信号、そして、ＳＴＲＯＢＥ  ＦＬＡＳＨ信号をデジタルカメラ１００とアダプタ装置２００との間でやり取りすることができなくなってしまう。したがって、図９（ｂ）では、通信ケーブル３１０内に対応した信号端子がない端子Ｂ５，Ｂ６，Ｂ７ではなく、通信ケーブル３１０内に対応した信号端子がある端子Ａ２，Ａ３，Ｂ１０にそれぞれＳＷ１信号，ＳＷ２信号，ＳＴＲＯＢＥ  ＦＬＡＳＨ信号を割り当てている。
【００７０】
一方、アダプタ装置２００のＵＳＢ  ＴＹＰＥ  Ｃプラグ２１０をデジタルカメラ１００のＵＳＢ  ＴＹＰＥ  ＣコネクタＡ１０８に直接挿し込んだ状態では、２４個全ての端子での信号のやりとりができる。このため、図９（ａ）では、端子Ｂ５，Ｂ６，Ｂ７に、それぞれ、ＳＷ１信号，ＳＷ２信号，ＳＴＲＯＢＥ  ＦＬＡＳＨ信号を割り当てている。さらに、図９（ｂ）において、ＳＷ１信号、ＳＷ２信号及びＳＴＲＯＢＥ  ＦＬＡＳＨ信号がそれぞれ割り当ててあった端子Ａ２，Ａ３，Ｂ１０、そして、空き端子であった端子Ｂ１１に、図９（ａ）では、ＴＸ１＋信号，ＴＸ１−信号，ＲＸ１−信号，ＲＸ１＋信号をそれぞれ割り当てている。
【００７１】
このように、本実施形態では、デジタルカメラ１００とアダプタ装置２００とが直接接続されるか或いは通信ケーブル３１０を介して接続されるかに応じて、専用信号のやりとりがデジタルカメラ１００とアダプタ装置２００との間でできるようにすることを優先して、専用信号におけるデジタルカメラ１００のＵＳＢ  ＴＹＰＥ  ＣコネクタＡ１０８内の端子への信号割り当てを変更するようにしている。
【００７２】
次いで、図９（ｃ）の説明を行う。
図９（ｃ）は、図８に示すカメラシステム、即ち、図５に示すデジタルカメラ１００とスマートフォン３３０とが通信ケーブル３１０を介して接続されたカメラシステムにおいて、ＵＳＢ  ＴＹＰＥ  ＣコネクタＡ１０８の各端子に割り当てる信号群の一例を示す図である。この図９（ｃ）において、図９（ａ）で説明した信号と同様の信号については同じ符号を付している。
【００７３】
図９（ｃ）に示すように、端子Ａ１，Ａ１２，Ｂ１及びＢ１２には、ＧＮＤ信号が割り当てられている。また、端子Ａ２，Ａ３，Ｂ１０，Ｂ１１には、それぞれ、ＴＸ１＋信号，ＴＸ１−信号，ＲＸ１−信号，ＲＸ１＋信号が割り当てられている。また、端子Ｂ２，Ｂ３，Ａ１０，Ａ１１には、それぞれ、ＴＸ２＋信号，ＴＸ２−信号，ＲＸ２−信号，ＲＸ２＋信号が割り当てられている。なお、ＴＸ２＋信号，ＴＸ２−信号，ＲＸ２−信号，ＲＸ２＋信号は、上述したように、それぞれ、ＴＸ１＋信号，ＴＸ１−信号，ＲＸ１−信号，ＲＸ１＋信号と同様の役割を担っている。即ち、ＴＸ２＋信号とＴＸ２−信号、ＲＸ２＋信号とＲＸ２−信号とは、それぞれ、ペアの差動信号となっており、それらは、ＵＳＢ３．１規格の通信を行うための信号である。即ち、図９（ｃ）に示す信号群の割り当てでは、ＵＳＢ３．１通信が２系統設けられていることになる。
【００７４】
また、端子Ａ４，Ａ９，Ｂ４，Ｂ９には、ＶＢＵＳ信号が割り当てられている。また、端子Ａ５には、ＣＣ１信号が割り当てられている。また、端子Ａ６，Ａ７には、それぞれ、Ｄ＋信号とＤ−信号が割り当てられている。さらに、端子Ｂ６，Ｂ７にも、それぞれ、Ｄ＋信号とＤ−信号が割り当てられている。この図９（ｃ）に示すＤ＋信号とＤ−信号は、ペアの差動信号となっており、ＵＳＢ２．０規格に準拠した通信を行うための信号である。また、端子Ｂ５，Ａ８，Ｂ８には、それぞれ、ＣＣ２信号，ＳＢＵ１信号，ＳＢＵ２信号が割り当てられている。ここで、ＣＣ２信号は、ＣＣ１信号と同じ役割を担う信号である。また、ＳＢＵ１信号とＳＢＵ２信号は、予備の信号であり、特定の役割は担っていない。
【００７５】
この図９（ｃ）に示す信号割り当ては、ＵＳＢ  ＴＹＰＥ  Ｃの規格団体が制定した標準の信号割り当てとなっている。したがって、図５のカメラシステムのように、デジタルカメラ１００のＵＳＢ  ＴＹＰＥ  ＣコネクタＡ１０８にＵＳＢ通信に対応した他のデバイスの一例であるスマートフォン３３０が接続された場合に、デジタルカメラ１００とスマートフォン３３０とはＵＳＢ規格に準拠した通信を相互に行うことができる。本実施形態の場合、上述したように、スマートフォン３３０は、ＵＳＢ３．１規格に準拠した通信を行う通信機器（通信デバイス）である。このため、図９（ｃ）の信号割り当ての場合には、端子Ａ２，Ａ３，Ｂ１０，Ｂ１１に割り当てられているＴＸ１＋信号，ＴＸ１−信号，ＲＸ１−信号，ＲＸ１＋信号を使用して通信を行うか、或いは、端子Ｂ２，Ｂ３、Ａ１０，Ａ１１に割り当てられているＴＸ２＋信号，ＴＸ２−信号，ＲＸ２−信号，ＲＸ２＋信号を使用して通信を行うことになる。
【００７６】
本発明の実施形態では、デジタルカメラ１００は、所定の判定に基づいて、ＵＳＢ  ＴＹＰＥ  ＣコネクタＡ１０８内の各端子に対して、図９（ａ），図９（ｂ）及び図９（ｃ）に示す信号の割り当てを切り替えるようにしている。以下、このＵＳＢ  ＴＹＰＥ  ＣコネクタＡ１０８内の各端子における信号割り当て処理の詳細について、図１０を用いて説明する。
【００７７】
図１０は、本発明の実施形態に係るデジタルカメラ１００のＵＳＢ  ＴＹＰＥ  ＣコネクタＡ１０８内の各端子における信号割り当て処理の詳細な処理手順の一例を示すフローチャートである。具体的に、本実施形態においては、この図１０は、本発明の実施形態に係るデジタルカメラ（撮像装置）１００の制御方法における処理手順の一例を示すフローチャートに相当する。
【００７８】
ユーザーによって電源ボタン１０３が押圧されると、例えばシステム制御回路Ａ１２１は、デジタルカメラ１００の電源を入れる。次いで、ステップＳ１０１において、スイッチＡ１２２は、コントローラＡ１２３やシステム制御回路Ａ１２１の制御に基づいて、図９（ｃ）に示すＵＳＢ  ＴＹＰＥ  Ｃに標準の信号群をＵＳＢ  ＴＹＰＥ  ＣコネクタＡ１０８の各端子に割り当てる。
【００７９】
続いて、ステップＳ１０２において、システム制御回路Ａ１２１は、例えばコントローラＡ１２３を介して、デジタルカメラ１００のＵＳＢ  ＴＹＰＥ  ＣコネクタＡ１０８に何らかのデバイスが接続されたか否かを判断（検知）する。この判断の結果、ＵＳＢ  ＴＹＰＥ  ＣコネクタＡ１０８に何れのデバイスも接続されていない場合には（Ｓ１０２／Ｎ）、ＵＳＢ  ＴＹＰＥ  ＣコネクタＡ１０８に何らかのデバイスが接続されたと判断されるまで、ステップＳ１０２に待機する。
【００８０】
一方、ステップＳ１０２の判断の結果、ＵＳＢ  ＴＹＰＥ  ＣコネクタＡ１０８に何らかのデバイスが接続された場合には（Ｓ１０２／Ｙ）、ステップＳ１０３に進む。
ステップＳ１０３に進むと、システム制御回路Ａ１２１は、コントローラＡ１２３がステップＳ１０２で接続されたと判断されたデバイスとＣＣ１信号にて通信を行うことにより得た情報に基づいて、当該接続されたデバイスの種類を確認して検知する処理を行う。
【００８１】
続いて、ステップＳ１０４において、システム制御回路Ａ１２１は、ステップＳ１０３の確認による検知結果に基づいて、ＵＳＢ  ＴＹＰＥ  ＣコネクタＡ１０８に接続されたデバイスがアダプタ装置２００であるか否かを判断（検知）する。
【００８２】
ステップＳ１０４の判断の結果、デジタルカメラ１００のＵＳＢ  ＴＹＰＥ  ＣコネクタＡ１０８に接続されたデバイスがアダプタ装置２００である場合には（Ｓ１０４／Ｙ）、ステップＳ１０５に進む。
ステップＳ１０５に進むと、システム制御回路Ａ１２１は、デジタルカメラ１００とアダプタ装置２００とが通信ケーブル３１０を介して接続されているか否かを判断（検知）する。
【００８３】
本実施形態におけるステップＳ１０５の具体的な処理について、以下に説明する。
このステップＳ１０５の時点では、図９（ｃ）に示すＵＳＢ  ＴＹＰＥ  Ｃに標準の信号群がＵＳＢ  ＴＹＰＥ  ＣコネクタＡ１０８の各端子に割り当てられている。この場合、システム制御回路Ａ１２１は、ＵＳＢ  ＴＹＰＥ  ＣコネクタＡ１０８の端子Ｂ６に割り当てられているＤ＋信号もしくは端子Ｂ７に割り当てられているＤ−信号を使用して、アダプタ装置２００のシステム制御回路Ｂ２２７との通信を試みる。この際、アダプタ装置２００のＵＳＢ  ＴＹＰＥ  Ｃプラグ２１０をデジタルカメラ１００のＵＳＢ  ＴＹＰＥ  ＣコネクタＡ１０８に直接挿し込んだ状態の場合には、システム制御回路Ａ１２１とシステム制御回路Ｂ２２７とは相互に通信を行うことができる。このため、システム制御回路Ａ１２１とシステム制御回路Ｂ２２７とが相互に通信できる場合には、システム制御回路Ａ１２１は、デジタルカメラ１００とアダプタ装置２００とが通信ケーブル３１０を介して接続されていないと判断する（Ｓ１０５／Ｎ）。
【００８４】
一方、デジタルカメラ１００とアダプタ装置２００とが通信ケーブル３１０を介して接続されている場合には、上述したように、通信ケーブル３１０では、ＵＳＢ  ＴＹＰＥ  ＣコネクタＡ１０８の端子Ｂ５，Ｂ６，Ｂ７等に割り当てられた信号を伝送できない。このため、システム制御回路Ａ１２１とシステム制御回路Ｂ２２７とが正常に通信できない場合には、システム制御回路Ａ１２１は、デジタルカメラ１００とアダプタ装置２００とが通信ケーブル３１０を介して接続されていると判断する（Ｓ１０５／Ｙ）。
【００８５】
ステップＳ１０５の判断の結果、デジタルカメラ１００とアダプタ装置２００とが通信ケーブル３１０を介して接続されていない場合（Ｓ１０５／Ｎ）、即ちデジタルカメラ１００とアダプタ装置２００とが直接接続されている場合には、ステップＳ１０６に進む。
ステップＳ１０６に進むと、スイッチＡ１２２は、コントローラＡ１２３やシステム制御回路Ａ１２１の制御に基づいて、図９（ａ）に示す、デジタルカメラ１００とアダプタ装置２００とが直接接続された場合（図３（ａ）の場合）の信号群をＵＳＢ  ＴＹＰＥ  ＣコネクタＡ１０８の各端子に割り当てる。
【００８６】
続いて、ステップＳ１０７において、システム制御回路Ａ１２１（或いはコントローラＡ１２３）は、デジタルカメラ１００のＵＳＢ  ＴＹＰＥ  ＣコネクタＡ１０８にアダプタ装置２００が直接接続されたことを表示ユニット１０６に表示する。本ステップにおいては、図９（ａ）に示すデジタルカメラ１００とアダプタ装置２００とが直接接続された場合の信号群をＵＳＢ  ＴＹＰＥ  ＣコネクタＡ１０８の各端子に割り当てたことを表示ユニット１０６に表示するようにしてもよい。
【００８７】
続いて、ステップＳ１０８において、システム制御回路Ａ１２１は、図１４等を用いて後述する直接接続用アダプタ接続中処理を行う。
【００８８】
ステップＳ１０８の処理が終了すると、ステップＳ１０９に進む。
ステップＳ１０９に進むと、スイッチＡ１２２は、コントローラＡ１２３やシステム制御回路Ａ１２１の制御に基づいて、図９（ｃ）に示すＵＳＢ  ＴＹＰＥ  Ｃに標準の信号群をＵＳＢ  ＴＹＰＥ  ＣコネクタＡ１０８の各端子に割り当てる。その後、ステップＳ１０２に戻り、ステップＳ１０２以降の処理を行う。
【００８９】
また、ステップＳ１０５の判断の結果、デジタルカメラ１００とアダプタ装置２００とが通信ケーブル３１０を介して接続されている場合には（Ｓ１０５／Ｙ）、ステップＳ１１０に進む。
ステップＳ１１０に進むと、スイッチＡ１２２は、コントローラＡ１２３やシステム制御回路Ａ１２１の制御に基づいて、図９（ｂ）に示す、デジタルカメラ１００とアダプタ装置２００とが通信ケーブル３１０を介して接続された場合（図３（ｂ）の場合）の信号群をＵＳＢ  ＴＹＰＥ  ＣコネクタＡ１０８の各端子に割り当てる。その後、ステップＳ１１１に進む。
【００９０】
ステップＳ１１１に進むと、システム制御回路Ａ１２１（或いはコントローラＡ１２３）は、デジタルカメラ１００のＵＳＢ  ＴＹＰＥ  ＣコネクタＡ１０８に通信ケーブル３１０を介してアダプタ装置２００が接続されたことを表示ユニット１０６に表示する。本ステップにおいては、図９（ｂ）に示すデジタルカメラ１００とアダプタ装置２００とが通信ケーブル３１０を介して接続された場合の信号群をＵＳＢ  ＴＹＰＥ  ＣコネクタＡ１０８の各端子に割り当てたことを表示ユニット１０６に表示するようにしてもよい。
【００９１】
続いて、ステップＳ１１２において、システム制御回路Ａ１２１は、図１５等を用いて後述するケーブル接続用アダプタ接続中処理を行う。
【００９２】
ステップＳ１１２の処理が終了すると、ステップＳ１０９に進む。
ステップＳ１０９に進むと、上述したように、スイッチＡ１２２は、コントローラＡ１２３やシステム制御回路Ａ１２１の制御に基づいて、図９（ｃ）に示すＵＳＢ  ＴＹＰＥ  Ｃに標準の信号群をＵＳＢ  ＴＹＰＥ  ＣコネクタＡ１０８の各端子に割り当てる。その後、ステップＳ１０２に戻り、ステップＳ１０２以降の処理を行う。
【００９３】
また、ステップＳ１０４の判断の結果、デジタルカメラ１００のＵＳＢ  ＴＹＰＥ  ＣコネクタＡ１０８に接続されたデバイスがアダプタ装置２００でない場合には（Ｓ１０４／Ｎ）、ステップＳ１１３に進む。なお、このステップＳ１１３に進む場合には、システム制御回路Ａ１２１は、デジタルカメラ１００のＵＳＢ  ＴＹＰＥ  ＣコネクタＡ１０８に接続されたデバイスとしてＵＳＢ規格に準拠した通信を行うデバイスが接続されている状態（図６の状態）と判断する。
ステップＳ１１３に進むと、システム制御回路Ａ１２１は、現時点でＵＳＢ  ＴＹＰＥ  ＣコネクタＡ１０８の各端子に割り当てられている図９（ｃ）に示すＵＳＢ  ＴＹＰＥ  Ｃに標準の信号群の変更は行わずに、ＵＳＢ規格に準拠した通信を開始する。
【００９４】
続いて、ステップＳ１１４において、システム制御回路Ａ１２１は、デジタルカメラ１００のＵＳＢ  ＴＹＰＥ  ＣコネクタＡ１０８にステップＳ１１３で通信を開始したＵＳＢ通信デバイスが接続されているか否かを判断（検知）する。この判断の結果、ＵＳＢ  ＴＹＰＥ  ＣコネクタＡ１０８にステップＳ１１３で通信を開始したＵＳＢ通信デバイスが接続されている場合には（Ｓ１１４／Ｙ）、ステップＳ１１３の通信を継続する。
【００９５】
一方、ステップＳ１１４の判断の結果、ＵＳＢ  ＴＹＰＥ  ＣコネクタＡ１０８にステップＳ１１３で通信を開始したＵＳＢ通信デバイスが接続されていない場合には（Ｓ１１４／Ｎ）、ステップＳ１０２に戻り、ステップＳ１０２以降の処理を行う。
【００９６】
以下に、図１１〜図１５を用いて、図１０のステップＳ１０８における直接接続用アダプタ接続中処理、及び、図１０のステップＳ１１２におけるケーブル接続用アダプタ接続中処理について説明する。
【００９７】
図１１は、図１に示すデジタルカメラ１００と図２に示すアダプタ装置２００とが電気的に接続され、且つ、アダプタ装置２００に他のデバイスが電気的に接続されたカメラシステム（撮像システム）の外観の一例を示す図である。この図１１において、図１〜図５に示す構成と同様の構成については同じ符号を付している。
【００９８】
図１１（ａ）は、アダプタ装置２００のＵＳＢ  ＴＹＰＥ  Ｃプラグ２１０をデジタルカメラ１００のＵＳＢ  ＴＹＰＥ  ＣコネクタＡ１０８に直接挿し込んだ状態（図３（ａ）の状態）において、図１０のステップＳ１０８における直接接続用アダプタ接続中処理の際にＡｌｔ通信に対応したモニタ３４０が接続されたカメラシステムの外観の一例を示す図である。具体的に、図１１（ａ）では、アダプタ装置２００のＵＳＢ  ＴＹＰＥ  ＣコネクタＤ２０６に通信ケーブル３２３の一方端を挿し込み、通信ケーブル３２３の他方端をモニタ３４０のコネクタ（不図示）に挿し込んで接続を行っている。これにより、デジタルカメラ１００とモニタ３４０は、アダプタ装置２００及び通信ケーブル３２３を介して、映像信号と音声信号の入出力を行うことが可能となっている。上述したように、モニタ３４０は、Ａｌｔ通信に対応したデバイスであり、この図１１（ａ）のカメラシステムにおけるＵＳＢ  ＴＹＰＥ  ＣコネクタＡ１０８の各端子への信号割り当てについては、図１３及び図１４を用いて後述する。
【００９９】
図１１（ｂ）は、アダプタ装置２００のＵＳＢ  ＴＹＰＥ  Ｃプラグ２１０をデジタルカメラ１００のＵＳＢ  ＴＹＰＥ  ＣコネクタＡ１０８に直接挿し込んだ状態（図３（ａ）の状態）において、図１０のステップＳ１０８における直接接続用アダプタ接続中処理の際にＵＳＢ通信に対応したスマートフォン３３０が接続されたカメラシステムの外観の一例を示す図である。具体的に、図１１（ｂ）では、アダプタ装置２００のＵＳＢ  ＴＹＰＥ  ＣコネクタＤ２０６に通信ケーブル３２３の一方端を挿し込み、通信ケーブル３２３の他方端をスマートフォン３３０のＵＳＢ  ＴＹＰＥ  ＣコネクタＥ３３２に挿し込んで接続を行っている。これにより、デジタルカメラ１００とスマートフォン３３０は、アダプタ装置２００及び通信ケーブル３２３を介して、ＵＳＢ規格に準拠した通信を相互に行うことが可能となっている。上述したように、スマートフォン３３０は、ＵＳＢ通信に対応したデバイスであり、この図１１（ｂ）のカメラシステムにおけるＵＳＢ  ＴＹＰＥ  ＣコネクタＡ１０８の各端子への信号割り当てについては、図１３及び図１４を用いて後述する。
【０１００】
図１２は、図１に示すデジタルカメラ１００と図２に示すアダプタ装置２００とが通信ケーブル３１０を介して電気的に接続され、且つ、アダプタ装置２００に他のデバイスが電気的に接続されたカメラシステム（撮像システム）の外観の一例を示す図である。この図１１において、図１〜図５，図１１に示す構成と同様の構成については同じ符号を付している。
【０１０１】
図１２（ａ）は、デジタルカメラ１００とアダプタ装置２００とが通信ケーブル３１０を介して電気的に接続された状態（図３（ｂ）の状態）において、図１０のステップＳ１１２におけるケーブル接続用アダプタ接続中処理の際にＡｌｔ通信に対応したモニタ３４０が接続されたカメラシステムの外観の一例を示す図である。具体的に、図１２（ａ）では、デジタルカメラ１００とアダプタ装置２００とが通信ケーブル３１０を介して電気的に接続されている状態において、アダプタ装置２００のＵＳＢ  ＴＹＰＥ  ＣコネクタＤ２０６に通信ケーブル３２３の一方端を挿し込み、通信ケーブル３２３の他方端をモニタ３４０のコネクタ（不図示）に挿し込んで接続を行っている。これにより、デジタルカメラ１００とモニタ３４０は、アダプタ装置２００及び通信ケーブル３２３を介して、映像信号と音声信号の入出力を行うことが可能となっている。上述したように、モニタ３４０は、Ａｌｔ通信に対応したデバイスであり、この図１２（ａ）のカメラシステムにおけるＵＳＢ  ＴＹＰＥ  ＣコネクタＡ１０８の各端子への信号割り当てについては、図１３及び図１５を用いて後述する。
【０１０２】
図１２（ｂ）は、デジタルカメラ１００とアダプタ装置２００とが通信ケーブル３１０を介して電気的に接続された状態（図３（ｂ）の状態）において、図１０のステップＳ１１２におけるケーブル接続用アダプタ接続中処理の際にＵＳＢ通信に対応したスマートフォン３３０が接続されたカメラシステムの外観の一例を示す図である。具体的に、図１２（ｂ）では、デジタルカメラ１００とアダプタ装置２００とが通信ケーブル３１０を介して電気的に接続されている状態において、アダプタ装置２００のＵＳＢ  ＴＹＰＥ  ＣコネクタＤ２０６に通信ケーブル３２３の一方端を挿し込み、通信ケーブル３２３の他方端をスマートフォン３３０のＵＳＢ  ＴＹＰＥ  ＣコネクタＥ３３２に挿し込んで接続を行っている。これにより、デジタルカメラ１００とスマートフォン３３０は、アダプタ装置２００及び通信ケーブル３２３を介して、ＵＳＢ規格に準拠した通信を相互に行うことが可能となっている。上述したように、スマートフォン３３０は、ＵＳＢ通信に対応したデバイスであり、この図１２（ｂ）のカメラシステムにおけるＵＳＢ  ＴＹＰＥ  ＣコネクタＡ１０８の各端子への信号割り当てについては、図１３及び図１５を用いて後述する。
【０１０３】
図１３は、図１１（ａ）に示すカメラシステム、図１１（ｂ）に示すカメラシステム、図１２（ａ）に示すカメラシステム、及び、図１２（ｂ）に示すカメラシステムにおいて、当該カメラシステムに含まれるデジタルカメラ１００のＵＳＢ  ＴＹＰＥ  ＣコネクタＡ１０８の各端子に割り当てる信号群の一例を示す図である。
【０１０４】
まず、図１３（ａ）の説明を行う。
図１３（ａ）は、図１１（ａ）に示すカメラシステムにおいて、当該カメラシステムに含まれるデジタルカメラ１００のＵＳＢ  ＴＹＰＥ  ＣコネクタＡ１０８の各端子に割り当てる信号群の一例を示す図である。なお、以下の図１３（ａ）の説明において、図９を用いて既に説明した信号名やその役割については、図１３（ａ）においても同様であるため、その詳細な説明は省略する。
【０１０５】
図１３（ａ）に示すように、端子Ａ１，Ａ１２，Ｂ１及びＢ１２には、ＧＮＤ信号が割り当てられている。また、端子Ａ２，Ａ３，Ｂ１０，Ｂ１１には、それぞれ、ＴＸ１＋信号，ＴＸ１−信号，ＲＸ１−信号，ＲＸ１＋信号が割り当てられている。また、端子Ａ４，Ａ９，Ｂ４及びＢ９には、ＶＢＵＳ信号が割り当てられている。
【０１０６】
また、端子Ａ５には、ＣＣ１信号が割り当てられている。また、端子Ａ６，Ａ７には、それぞれ、Ｄ＋信号，Ｄ−信号が割り当てられている。上述したように、デジタルカメラ１００のシステム制御回路Ａ１２１は、アダプタ装置２００のシステム制御回路Ｂ２２７に対して、外付けストロボ装置３２０に関する制御信号を送信している。この際、図１３（ａ）に示す信号群の割り当てでは、システム制御回路Ａ１２１とシステム制御回路Ｂ２２７との通信を端子Ａ６，Ａ７に割り当てられているＤ＋信号，Ｄ−信号のＵＳＢ２．０規格に準拠した通信を使用している。具体的に、端子Ａ６，Ａ７に割り当てられているＤ＋信号，Ｄ−信号を使用して通信する外付けストロボ装置３２０に関する信号は、上述した、ＳＴＤＥＴ  ＳＷ信号、ＥＦ  ＣＬＯＣＫ信号、ＳＴＲＯＢＥ  ＣＬＯＣＫ信号、ＥＦ  ＣＨＩＰ  ＳＥＬＥＴ信号、ＳＴＲＯＢＥ  ＴＸ信号、ＳＴＲＯＢＥ  ＲＸ信号である。
【０１０７】
また、端子Ｂ７には、ＳＴＲＯＢＥ  ＦＬＡＳＨ信号が割り当てられている。また、端子Ｂ５，Ｂ６には、それぞれ、ＳＷ１信号，ＳＷ２信号が割り当てられている。
【０１０８】
また、モニタ３４０で使用するＡｌｔ通信信号は、端子Ａ１０，Ａ１１，Ｂ２，Ｂ３，Ａ８及びＢ８に割り当てられる信号である。本実施形態においては、Ａｌｔ通信信号は、上述した各端子に割り当てられる信号を利用するが、Ａｌｔ通信に対応するデバイスの種類によって信号の本数と種類は任意に設定することができる。具体的に、端子Ａ１０，Ａ１１，Ｂ２，Ｂ３には、それぞれ、モニタ３４０における映像信号であるＤＳ  ＬＡＮＥ０−信号，ＤＳ  ＬＡＮＥ０＋信号，ＤＳ  ＬＡＮＥ１＋信号，ＤＳ  ＬＡＮＥ１−信号が割り当てられている。ＤＳ  ＬＡＮＥ０−信号とＤＳ  ＬＡＮＥ０＋信号、ＤＳ  ＬＡＮＥ１＋信号とＤＳ  ＬＡＮＥ１−信号とが、それぞれペアの差動信号となっており、本来ＵＳＢ３．１規格の通信を行うための信号を利用することにより、映像信号の高速通信が実現可能となる。また、具体的に、端子Ａ８，Ｂ８には、それぞれ、モニタ３４０における音声信号であるＡＵＸ＋信号，ＡＵＸ−信号のペアの差動信号が割り当てられている。
【０１０９】
次いで、図１３（ｂ）の説明を行う。
図１３（ｂ）は、図１１（ｂ）に示すカメラシステムにおいて、当該カメラシステムに含まれるデジタルカメラ１００のＵＳＢ  ＴＹＰＥ  ＣコネクタＡ１０８の各端子に割り当てる信号群の一例を示す図である。なお、以下の図１３（ｂ）の説明において、図９を用いて既に説明した信号名やその役割については、図１３（ｂ）においても同様であるため、その詳細な説明は省略する。
【０１１０】
具体的に、図１３（ｂ）に示す信号群の割り当ては、図９（ａ）に示す信号群の割り当てと全て同一となっている。具体的に、デジタルカメラ１００にアダプタ装置２００が直接接続され、且つ、アダプタ装置２００とスマートフォン３３０とが通信ケーブル３２３を介して接続された場合には、アダプタ装置２００のＵＳＢハブ２２４を介してＵＳＢ規格に準拠した通信を行う。本実施形態の場合、上述したように、スマートフォン３３０は、ＵＳＢ３．１規格に準拠した通信を行うデバイスである。このため、図１３（ｂ）の場合、端子Ａ２，Ａ３，Ｂ１０，Ｂ１１にそれぞれ割り当てられているＴＸ１＋信号，ＴＸ１−信号，ＲＸ１−信号，ＲＸ１＋信号を使用して通信を行うか、或いは、端子Ｂ２，Ｂ３，Ａ１０，Ａ１１にそれぞれ割り当てられているＴＸ２＋信号，ＴＸ２−信号，ＲＸ２−信号，ＲＸ２＋信号を使用して通信を行うことになる。
【０１１１】
次いで、図１３（ｃ）の説明を行う。
図１３（ｃ）は、図１２（ａ）に示すカメラシステムにおいて、当該カメラシステムに含まれるデジタルカメラ１００のＵＳＢ  ＴＹＰＥ  ＣコネクタＡ１０８の各端子に割り当てる信号群の一例を示す図である。なお、以下の図１３（ｃ）の説明において、図９を用いて既に説明した信号名やその役割については、図１３（ｃ）においても同様であるため、その詳細な説明は省略する。
【０１１２】
図１３（ｃ）に示すように、端子Ａ１，Ａ１２，Ｂ１及びＢ１２には、ＧＮＤ信号が割り当てられている。また、端子Ａ４，Ａ９，Ｂ４及びＢ９には、ＶＢＵＳ信号が割り当てられている。
【０１１３】
また、端子Ａ５には、ＣＣ１信号が割り当てられている。また、端子Ａ６，Ａ７には、それぞれ、Ｄ＋信号，Ｄ−信号が割り当てられている。上述したように、デジタルカメラ１００のシステム制御回路Ａ１２１は、アダプタ装置２００のシステム制御回路Ｂ２２７に対して、外付けストロボ装置３２０に関する制御信号を送信している。この際、図１３（ｃ）に示す信号群の割り当てでは、システム制御回路Ａ１２１とシステム制御回路Ｂ２２７との通信を端子Ａ６，Ａ７に割り当てられているＤ＋信号，Ｄ−信号のＵＳＢ２．０規格に準拠した通信を使用している。具体的に、端子Ａ６，Ａ７に割り当てられているＤ＋信号，Ｄ−信号を使用して通信する外付けストロボ装置３２０に関する信号は、上述した、ＳＴＤＥＴ  ＳＷ信号、ＥＦ  ＣＬＯＣＫ信号、ＳＴＲＯＢＥ  ＣＬＯＣＫ信号、ＥＦ  ＣＨＩＰ  ＳＥＬＥＴ信号、ＳＴＲＯＢＥ  ＴＸ信号、ＳＴＲＯＢＥ  ＲＸ信号である。
【０１１４】
また、端子Ｂ１０には、ＳＴＲＯＢＥ  ＦＬＡＳＨ信号が割り当てられている。また、端子Ａ２，Ａ３には、それぞれ、ＳＷ１信号，ＳＷ２信号が割り当てられている。
【０１１５】
また、モニタ３４０で使用するＡｌｔ通信信号は、端子Ａ１０，Ａ１１，Ｂ２，Ｂ３，Ａ８及びＢ８に割り当てられる信号である。具体的に、端子Ａ１０，Ａ１１，Ｂ２，Ｂ３には、それぞれ、モニタ３４０における映像信号であるＤＳ  ＬＡＮＥ０−信号，ＤＳ  ＬＡＮＥ０＋信号，ＤＳ  ＬＡＮＥ１＋信号，ＤＳ  ＬＡＮＥ１−信号が割り当てられている。ＤＳ  ＬＡＮＥ０−信号とＤＳ  ＬＡＮＥ０＋信号、ＤＳ  ＬＡＮＥ１＋信号とＤＳ  ＬＡＮＥ１−信号とが、それぞれペアの差動信号となっており、本来ＵＳＢ３．１規格の通信を行うための信号を利用することにより、映像信号の高速通信が実現可能となる。また、具体的に、端子Ａ８，Ｂ８には、それぞれ、モニタ３４０における音声信号であるＡＵＸ＋信号，ＡＵＸ−信号のペアの差動信号が割り当てられている。
【０１１６】
一方、図１３（ｃ）においては、端子Ｂ５，Ｂ６，Ｂ７，Ｂ１１には、いなかる信号も割り当てられていない。なお、図１３（ａ）に示す信号群の割り当てと図１３（ｃ）に示す信号群の割り当てとが異なる理由は、上述した図９（ａ）に示す信号群の割り当てと図９（ｂ）に示す信号群の割り当てとが異なる理由と同一である。
【０１１７】
次いで、図１３（ｄ）の説明を行う。
図１３（ｄ）は、図１２（ｂ）に示すカメラシステムにおいて、当該カメラシステムに含まれるデジタルカメラ１００のＵＳＢ  ＴＹＰＥ  ＣコネクタＡ１０８の各端子に割り当てる信号群の一例を示す図である。なお、以下の図１３（ｄ）の説明において、図９を用いて既に説明した信号名やその役割については、図１３（ｄ）においても同様であるため、その詳細な説明は省略する。
【０１１８】
具体的に、図１３（ｄ）に示す信号群の割り当ては、図９（ｂ）に示す信号群の割り当てと全て同一となっている。具体的に、デジタルカメラ１００にアダプタ装置２００が通信ケーブル３１０を介して接続され、且つ、アダプタ装置２００とスマートフォン３３０とが通信ケーブル３２３を介して接続された場合には、アダプタ装置２００のＵＳＢハブ２２４を介してＵＳＢ規格に準拠した通信を行う。本実施形態の場合、上述したように、スマートフォン３３０は、ＵＳＢ３．１規格に準拠した通信を行うデバイスである。このため、図１３（ｄ）の場合、端子Ｂ２，Ｂ３，Ａ１０，Ａ１１にそれぞれ割り当てられているＴＸ２＋信号，ＴＸ２−信号，ＲＸ２−信号，ＲＸ２＋信号を使用して通信を行うことになる。
【０１１９】
次に、図１０のステップＳ１０８における直接接続用アダプタ接続中処理の詳細な処理手順について説明する。
【０１２０】
図１４は、図１０のステップＳ１０８における直接接続用アダプタ接続中処理の詳細な処理手順の一例を示すフローチャートである。具体的に、この図１４に示すフローチャートの処理は、図１１（ａ）及び図１１（ｂ）に示すカメラシステムの場合の動作を示すフローチャートである。
【０１２１】
まず、図１４のステップＳ２０１において、システム制御回路Ａ１２１は、デジタルカメラ１００のＵＳＢ  ＴＹＰＥ  ＣコネクタＡ１０８にアダプタ装置２００が接続されているか否かを判断（検知）する。この判断の結果、デジタルカメラ１００のＵＳＢ  ＴＹＰＥ  ＣコネクタＡ１０８にアダプタ装置２００が接続されていない場合には（Ｓ２０１／Ｎ）、図１４のフローチャートの処理を終了し、図１０のステップＳ１０９に移行する。
【０１２２】
一方、ステップＳ２０１の判断の結果、デジタルカメラ１００のＵＳＢ  ＴＹＰＥ  ＣコネクタＡ１０８にアダプタ装置２００が接続されている場合には（Ｓ２０１／Ｙ）、ステップＳ２０２に進む。
ステップＳ２０２に進むと、システム制御回路Ａ１２１は、例えばシステム制御回路Ｂ２２７との通信に基づいて、アダプタ装置２００のＵＳＢ  ＴＹＰＥ  ＣコネクタＤ２０３，２０６，２０７に何らかのデバイスが接続されたか否かを判断（検知）する。この判断の結果、アダプタ装置２００のＵＳＢ  ＴＹＰＥ  ＣコネクタＤ２０３，２０６，２０７に何れのデバイスも接続されていない場合には（Ｓ２０２／Ｎ）、ステップＳ２０１に戻り、ステップＳ２０１以降の処理を行う。
【０１２３】
一方、ステップＳ２０２の判断の結果、アダプタ装置２００のＵＳＢ  ＴＹＰＥ  ＣコネクタＤ２０３，２０６，２０７に何らかのデバイスが接続された場合には（Ｓ２０２／Ｙ）、ステップＳ２０３に進む。
ステップＳ２０３に進むと、システム制御回路Ａ１２１は、コントローラＡ１２３がアダプタ装置２００のコントローラＢ２２２を介してＵＳＢ  ＴＹＰＥ  ＣコネクタＤ２０３，２０６，２０７に接続されたデバイスとＣＣ１信号にて通信を行うことにより得た情報に基づいて、当該デバイスの種類を確認して検知する処理を行う。
【０１２４】
続いて、ステップＳ２０４において、システム制御回路Ａ１２１は、Ｓ２０３の確認による検知結果に基づいて、アダプタ装置２００のＵＳＢ  ＴＹＰＥ  ＣコネクタＤに接続されたデバイスがＡｌｔ通信に対応したデバイスであるか否かを判断（検知）する。
【０１２５】
ステップＳ２０４の判断の結果、アダプタ装置２００のＵＳＢ  ＴＹＰＥ  ＣコネクタＤに接続されたデバイスがＡｌｔ通信に対応したデバイスである場合には（Ｓ２０４／Ｙ）、ステップＳ２０５に進む。ステップＳ２０５に進む際には、図１０のステップＳ１０６において、図９（ａ）に示す、デジタルカメラ１００とアダプタ装置２００とが直接接続された場合（図３（ａ）の場合）の信号群がＵＳＢ  ＴＹＰＥ  ＣコネクタＡ１０８の各端子に割り当てられている。
【０１２６】
ステップＳ２０５に進むと、スイッチＡ１２２は、コントローラＡ１２３やシステム制御回路Ａ１２１の制御に基づいて、図１３（ａ）に示す、アダプタ装置２００が通信ケーブル３２３を介してＡｌｔ通信に対応したモニタ３４０と接続された場合（図１１（ａ）の場合）の信号群をＵＳＢ  ＴＹＰＥ  ＣコネクタＡ１０８の各端子に割り当てる。この際、アダプタ装置２００では、コントローラＢ２２２からの指示により、Ａｌｔ通信に対応したデバイスであるモニタ３４０のＡｌｔ通信信号がＵＳＢハブ２２４を経由せずにスイッチＢ２２１に直接接続されるように、スイッチＣ２２８を切り替える。上述したように、Ａｌｔ通信に対応したデバイスは、ＵＳＢハブ２２４を介した通信を行えないということがＵＳＢ  ＴＹＰＥ  Ｃの仕様として定められている。このため、このステップＳ２０５の処理を行うことにより、ＵＳＢハブ２２４を有するアダプタ装置２００のようなデバイスに、Ａｌｔ通信に対応したデバイスを接続することが可能となる。
【０１２７】
続いて、ステップＳ２０６において、システム制御回路Ａ１２１（或いはコントローラＡ１２３）は、デジタルカメラ１００に直接接続されたアダプタ装置２００にＡｌｔ通信に対応したデバイスが接続されたことを表示ユニット１０６に表示する。本ステップにおいては、図１３（ａ）に示す、アダプタ装置２００にＡｌｔ通信に対応したデバイス（モニタ３４０）が接続された場合の信号群をＵＳＢ  ＴＹＰＥ  ＣコネクタＡ１０８の各端子に割り当てたことを表示ユニット１０６に表示するようにしてもよい。
【０１２８】
続いて、ステップＳ２０７において、システム制御回路Ａ１２１は、Ｓ２０４で接続されていると判断されたＡｌｔ通信に対応したデバイス（モニタ３４０）が、アダプタ装置２００のＵＳＢ  ＴＹＰＥ  ＣコネクタＤに接続されているか否かを判断（検知）する。この判断の結果、Ａｌｔ通信に対応したデバイスがアダプタ装置２００のＵＳＢ  ＴＹＰＥ  ＣコネクタＤに接続されている場合には（Ｓ２０７／Ｙ）、ステップＳ２０７で待機する。
【０１２９】
一方、ステップＳ２０７の判断の結果、Ａｌｔ通信に対応したデバイスがアダプタ装置２００のＵＳＢ  ＴＹＰＥ  ＣコネクタＤに接続されていない場合には（Ｓ２０７／Ｎ）、アダプタ装置２００からＡｌｔ通信に対応したデバイスが取り外されたと判断する。そして、ステップＳ２０１に戻り、ステップＳ２０１以降の処理を行う。
【０１３０】
また、ステップＳ２０４の判断の結果、アダプタ装置２００のＵＳＢ  ＴＹＰＥ  ＣコネクタＤに接続されたデバイスがＡｌｔ通信に対応したデバイスでない場合には（Ｓ２０４／Ｎ）、ステップＳ２０８に進む。なお、本実施形態では、アダプタ装置２００のＵＳＢ  ＴＹＰＥ  ＣコネクタＤに接続されたデバイスがＡｌｔ通信に対応したデバイスでない場合には、ＵＳＢ規格に準拠した通信を行うＵＳＢ通信デバイス（スマートフォン３３０）が接続されている場合となる。また、ステップＳ２０８に進む際には、図１０のステップＳ１０６において、図９（ａ）に示す、デジタルカメラ１００とアダプタ装置２００とが直接接続された場合の信号群がＵＳＢ  ＴＹＰＥ  ＣコネクタＡ１０８の各端子に割り当てられている。
【０１３１】
ステップＳ２０８に進むと、スイッチＡ１２２は、コントローラＡ１２３やシステム制御回路Ａ１２１の制御に基づいて、図１３（ｂ）に示す信号群をＵＳＢ  ＴＹＰＥ  ＣコネクタＡ１０８の各端子に割り当てる。この際、図１３（ｂ）に示す信号群は、ＵＳＢ  ＴＹＰＥ  ＣコネクタＡ１０８の各端子に現在割り当てられている図９（ａ）に示す信号群と同一であるため、本ステップでは、当該信号群の割り当てを維持する処理を行う。さらに、アダプタ装置２００では、コントローラＢ２２２からの指示により、ＵＳＢ規格に準拠した通信を行うスマートフォン３３０のＵＳＢ通信信号がＵＳＢハブ２２４を経由してスイッチＢ２２１に接続されるように、スイッチＣ２２８を切り替える。本実施形態の場合、上述したように、スマートフォン３３０は、ＵＳＢ３．１規格に準拠した通信を行うデバイスである。このため、図１３（ｂ）の場合、端子Ａ２，Ａ３，Ｂ１０，Ｂ１１にそれぞれ割り当てられているＴＸ１＋信号，ＴＸ１−信号，ＲＸ１−信号，ＲＸ１＋信号を使用して通信を行うか、或いは、端子Ｂ２，Ｂ３，Ａ１０，Ａ１１にそれぞれ割り当てられているＴＸ２＋信号，ＴＸ２−信号，ＲＸ２−信号，ＲＸ２＋信号を使用して通信を行う。
【０１３２】
続いて、ステップＳ２０９において、システム制御回路Ａ１２１（或いはコントローラＡ１２３）は、デジタルカメラ１００に直接接続されたアダプタ装置２００にＵＳＢ通信デバイスが接続されたことを表示ユニット１０６に表示する。本ステップにおいては、図１３（ｂ）に示す、アダプタ装置２００にＵＳＢ通信デバイス（スマートフォン３３０）が接続された場合の信号群をＵＳＢ  ＴＹＰＥ  ＣコネクタＡ１０８の各端子に割り当てたことを表示ユニット１０６に表示するようにしてもよい。また、本ステップにおいては、アダプタ装置２００を介してＵＳＢ通信デバイスと通信を開始したことを表示ユニット１０６に表示するようにしてもよい。
【０１３３】
続いて、ステップＳ２１０において、システム制御回路Ａ１２１は、Ｓ２０４で接続されていると判断されたＵＳＢ通信デバイス（スマートフォン３３０）が、アダプタ装置２００のＵＳＢ  ＴＹＰＥ  ＣコネクタＤに接続されているか否かを判断（検知）する。この判断の結果、ＵＳＢ通信デバイスがアダプタ装置２００のＵＳＢ  ＴＹＰＥ  ＣコネクタＤに接続されている場合には（Ｓ２１０／Ｙ）、ステップＳ２１０で待機する。
【０１３４】
一方、ステップＳ２１０の判断の結果、ＵＳＢ通信デバイスがアダプタ装置２００のＵＳＢ  ＴＹＰＥ  ＣコネクタＤに接続されていない場合には（Ｓ２１０／Ｎ）、アダプタ装置２００からＵＳＢ通信デバイスが取り外されたと判断する。そして、ステップＳ２０１に戻り、ステップＳ２０１以降の処理を行う。
【０１３５】
次に、図１０のステップＳ１１２におけるケーブル接続用アダプタ接続中処理の詳細な処理手順について説明する。
【０１３６】
図１５は、図１０のステップＳ１１２におけるケーブル接続用アダプタ接続中処理の詳細な処理手順の一例を示すフローチャートである。具体的に、この図１５に示すフローチャートの処理は、図１２（ａ）及び図１２（ｂ）に示すカメラシステムの場合の動作を示すフローチャートである。
【０１３７】
まず、図１５のステップＳ３０１において、システム制御回路Ａ１２１は、デジタルカメラ１００のＵＳＢ  ＴＹＰＥ  ＣコネクタＡ１０８に通信ケーブル３１０を介してアダプタ装置２００が接続されているか否かを判断（検知）する。この判断の結果、デジタルカメラ１００のＵＳＢ  ＴＹＰＥ  ＣコネクタＡ１０８に通信ケーブル３１０を介してアダプタ装置２００が接続されていない場合には（Ｓ３０１／Ｎ）、図１５のフローチャートの処理を終了し、図１０のステップＳ１０９に移行する。
【０１３８】
一方、ステップＳ３０１の判断の結果、デジタルカメラ１００のＵＳＢ  ＴＹＰＥ  ＣコネクタＡ１０８に通信ケーブル３１０を介してアダプタ装置２００が接続されている場合には（Ｓ３０１／Ｙ）、ステップＳ３０２に進む。
ステップＳ３０２に進むと、システム制御回路Ａ１２１は、例えばシステム制御回路Ｂ２２７との通信に基づいて、アダプタ装置２００のＵＳＢ  ＴＹＰＥ  ＣコネクタＤ２０３，２０６，２０７に何らかのデバイスが接続されたか否かを判断（検知）する。この判断の結果、アダプタ装置２００のＵＳＢ  ＴＹＰＥ  ＣコネクタＤ２０３，２０６，２０７に何れのデバイスも接続されていない場合には（Ｓ３０２／Ｎ）、ステップＳ３０１に戻り、ステップＳ３０１以降の処理を行う。
【０１３９】
一方、ステップＳ３０２の判断の結果、アダプタ装置２００のＵＳＢ  ＴＹＰＥ  ＣコネクタＤ２０３，２０６，２０７に何らかのデバイスが接続された場合には（Ｓ３０２／Ｙ）、ステップＳ３０３に進む。
ステップＳ３０３に進むと、システム制御回路Ａ１２１は、コントローラＡ１２３がアダプタ装置２００のコントローラＢ２２２を介してＵＳＢ  ＴＹＰＥ  ＣコネクタＤ２０３，２０６，２０７に接続されたデバイスとＣＣ１信号にて通信を行うことにより得た情報に基づいて、当該デバイスの種類を確認して検知する処理を行う。
【０１４０】
続いて、ステップＳ３０４において、システム制御回路Ａ１２１は、Ｓ３０３の確認による検知結果に基づいて、アダプタ装置２００のＵＳＢ  ＴＹＰＥ  ＣコネクタＤに接続されたデバイスがＡｌｔ通信に対応したデバイスであるか否かを判断（検知）する。
【０１４１】
ステップＳ３０４の判断の結果、アダプタ装置２００のＵＳＢ  ＴＹＰＥ  ＣコネクタＤに接続されたデバイスがＡｌｔ通信に対応したデバイスである場合には（Ｓ３０４／Ｙ）、ステップＳ３０５に進む。ステップＳ３０５に進む際には、図１０のステップＳ１１０において、図９（ｂ）に示す、デジタルカメラ１００とアダプタ装置２００とが通信ケーブル３１０を介して接続された場合（図３（ｂ）の場合）の信号群がＵＳＢ  ＴＹＰＥ  ＣコネクタＡ１０８の各端子に割り当てられている。
【０１４２】
ステップＳ３０５に進むと、スイッチＡ１２２は、コントローラＡ１２３やシステム制御回路Ａ１２１の制御に基づいて、図１３（ｃ）に示す、アダプタ装置２００が通信ケーブル３２３を介してＡｌｔ通信に対応したモニタ３４０と接続された場合（図１２（ａ）の場合）の信号群をＵＳＢ  ＴＹＰＥ  ＣコネクタＡ１０８の各端子に割り当てる。この際、アダプタ装置２００では、コントローラＢ２２２からの指示により、Ａｌｔ通信に対応したデバイスであるモニタ３４０のＡｌｔ通信信号がＵＳＢハブ２２４を経由せずにスイッチＢ２２１に直接接続されるように、スイッチＣ２２８を切り替える。上述したように、Ａｌｔ通信に対応したデバイスは、ＵＳＢハブ２２４を介した通信を行えないということがＵＳＢ  ＴＹＰＥ  Ｃの仕様として定められている。このため、このステップＳ３０５の処理を行うことにより、ＵＳＢハブ２２４を有するアダプタ装置２００のようなデバイスに、Ａｌｔ通信に対応したデバイスを接続することが可能となる。
【０１４３】
続いて、ステップＳ３０６において、システム制御回路Ａ１２１（或いはコントローラＡ１２３）は、デジタルカメラ１００に通信ケーブル３１０を介して接続されたアダプタ装置２００にＡｌｔ通信に対応したデバイスが接続されたことを表示ユニット１０６に表示する。本ステップにおいては、図１３（ｃ）に示す、アダプタ装置２００にＡｌｔ通信に対応したデバイス（モニタ３４０）が接続された場合の信号群をＵＳＢ  ＴＹＰＥ  ＣコネクタＡ１０８の各端子に割り当てたことを表示ユニット１０６に表示するようにしてもよい。
【０１４４】
続いて、ステップＳ３０７において、システム制御回路Ａ１２１は、Ｓ３０４で接続されていると判断されたＡｌｔ通信に対応したデバイス（モニタ３４０）が、アダプタ装置２００のＵＳＢ  ＴＹＰＥ  ＣコネクタＤに接続されているか否かを判断（検知）する。この判断の結果、Ａｌｔ通信に対応したデバイスがアダプタ装置２００のＵＳＢ  ＴＹＰＥ  ＣコネクタＤに接続されている場合には（Ｓ３０７／Ｙ）、ステップＳ３０７で待機する。
【０１４５】
一方、ステップＳ３０７の判断の結果、Ａｌｔ通信に対応したデバイスがアダプタ装置２００のＵＳＢ  ＴＹＰＥ  ＣコネクタＤに接続されていない場合には（Ｓ３０７／Ｎ）、アダプタ装置２００からＡｌｔ通信に対応したデバイスが取り外されたと判断する。そして、ステップＳ３０１に戻り、ステップＳ３０１以降の処理を行う。
【０１４６】
また、ステップＳ３０４の判断の結果、アダプタ装置２００のＵＳＢ  ＴＹＰＥ  ＣコネクタＤに接続されたデバイスがＡｌｔ通信に対応したデバイスでない場合には（Ｓ３０４／Ｎ）、ステップＳ３０８に進む。なお、本実施形態では、アダプタ装置２００のＵＳＢ  ＴＹＰＥ  ＣコネクタＤに接続されたデバイスがＡｌｔ通信に対応したデバイスでない場合には、ＵＳＢ規格に準拠した通信を行うＵＳＢ通信デバイス（スマートフォン３３０）が接続されている場合となる。また、ステップＳ３０８に進む際には、図１０のステップＳ１１０において、図９（ｂ）に示す、デジタルカメラ１００とアダプタ装置２００とが通信ケーブル３１０を介して接続された場合（図３（ｂ）の場合）の信号群がＵＳＢ  ＴＹＰＥ  ＣコネクタＡ１０８の各端子に割り当てられている。
【０１４７】
ステップＳ３０８に進むと、スイッチＡ１２２は、コントローラＡ１２３やシステム制御回路Ａ１２１の制御に基づいて、図１３（ｄ）に示す信号群をＵＳＢ  ＴＹＰＥ  ＣコネクタＡ１０８の各端子に割り当てる。この際、図１３（ｄ）に示す信号群は、ＵＳＢ  ＴＹＰＥ  ＣコネクタＡ１０８の各端子に現在割り当てられている図９（ｂ）に示す信号群と同一であるため、本ステップでは、当該信号群の割り当てを維持する処理を行う。さらに、アダプタ装置２００では、コントローラＢ２２２からの指示により、ＵＳＢ規格に準拠した通信を行うスマートフォン３３０のＵＳＢ通信信号がＵＳＢハブ２２４を経由してスイッチＢ２２１に接続されるように、スイッチＣ２２８を切り替える。本実施形態の場合、上述したように、スマートフォン３３０は、ＵＳＢ３．１規格に準拠した通信を行うデバイスである。このため、図１３（ｄ）の場合、端子Ｂ２，Ｂ３，Ａ１０，Ａ１１にそれぞれ割り当てられているＴＸ２＋信号，ＴＸ２−信号，ＲＸ２−信号，ＲＸ２＋信号を使用して通信を行う。
【０１４８】
続いて、ステップＳ３０９において、システム制御回路Ａ１２１（或いはコントローラＡ１２３）は、デジタルカメラ１００に通信ケーブル３１０を介して接続されたアダプタ装置２００にＵＳＢ通信デバイスが接続されたことを表示ユニット１０６に表示する。本ステップにおいては、図１３（ｄ）に示す、アダプタ装置２００にＵＳＢ通信デバイス（スマートフォン３３０）が接続された場合の信号群をＵＳＢ  ＴＹＰＥ  ＣコネクタＡ１０８の各端子に割り当てたことを表示ユニット１０６に表示するようにしてもよい。また、本ステップにおいては、アダプタ装置２００を介してＵＳＢ通信デバイスと通信を開始したことを表示ユニット１０６に表示するようにしてもよい。
【０１４９】
続いて、ステップＳ３１０において、システム制御回路Ａ１２１は、Ｓ３０４で接続されていると判断されたＵＳＢ通信デバイス（スマートフォン３３０）が、アダプタ装置２００のＵＳＢ  ＴＹＰＥ  ＣコネクタＤに接続されているか否かを判断（検知）する。この判断の結果、ＵＳＢ通信デバイスがアダプタ装置２００のＵＳＢ  ＴＹＰＥ  ＣコネクタＤに接続されている場合には（Ｓ３１０／Ｙ）、ステップＳ３１０で待機する。
【０１５０】
一方、ステップＳ３１０の判断の結果、ＵＳＢ通信デバイスがアダプタ装置２００のＵＳＢ  ＴＹＰＥ  ＣコネクタＤに接続されていない場合には（Ｓ３１０／Ｎ）、アダプタ装置２００からＵＳＢ通信デバイスが取り外されたと判断する。そして、ステップＳ３０１に戻り、ステップＳ３０１以降の処理を行う。
【０１５１】
上述した本実施形態のデジタルカメラ１００では、システム制御回路Ａ１２１は、ＵＳＢ  ＴＹＰＥ  ＣコネクタＡ１０８を介して電気的にアダプタ装置２００が接続されているか否かを検知している（図１０のＳ１０４、図１４のＳ２０１、図１５のＳ３０１）。当該検知の処理を行うシステム制御回路Ａ１２１は、第１の検知手段を構成する。なお、上述した図１０，図１４及び図１５の説明においては、当該検知の処理をシステム制御回路Ａ１２１が行うこととしているが、本実施形態においてはこれに限定されるものではなく、例えばコントローラＡ１２３が行うようにしてもよい。
また、システム制御回路Ａ１２１は、ＵＳＢ  ＴＹＰＥ  ＣコネクタＡ１０８を介して電気的にアダプタ装置２００が接続されていることを検知した場合に、アダプタ装置２００に接続されている他のデバイスがＵＳＢ規格とは異なる通信規格の通信を行えるデバイスであるか否かを検知している（図１４のＳ２０４、図１５のＳ３０４）。当該検知の処理を行うシステム制御回路Ａ１２１は、第２の検知手段を構成する。なお、上述した図１４及び図１５の説明においては、当該検知の処理をシステム制御回路Ａ１２１が行うこととしているが、本実施形態においてはこれに限定されるものではなく、例えばコントローラＡ１２３が行うようにしてもよい。
そして、スイッチＡ１２２は、上述した第１の検知手段による検知結果と第２の検知手段による検知結果とに応じて、ＵＳＢ  ＴＹＰＥ  ＣコネクタＡ１０８の各端子に割り当てる信号群を変更している（図９、図１３）。当該信号群の割り当てを行うスイッチＡ１２２は、信号割り当て手段を構成する。
かかる構成によれば、汎用的なＵＳＢコネクタの各端子に割り当てる信号群を変更するようにしているため、コネクタの大型化を招くことなく、且つ、高い汎用性を実現することが可能となる。さらに、本実施形態のデジタルカメラ１００では、外部インターフェースコネクタとしてＵＳＢ  ＴＹＰＥ  ＣコネクタＡ１０８のみを構成しているため、当該コネクタに加えてアクセサリーシュー２０４及びリモートレリーズケーブル接続用コネクタ２１２を構成した場合と比較して、デジタルカメラ１００を小型化することができる。
【０１５２】
具体的に、上述した本実施形態では、スイッチＡ１２２は、アダプタ装置２００が接続されていない場合には、ＵＳＢ規格に準拠した信号群（第１の信号群）をＵＳＢ  ＴＹＰＥ  ＣコネクタＡ１０８の各端子に割り当てている（図１０のＳ１０１，Ｓ１０９）。
また、スイッチＡ１２２は、アダプタ装置２００が接続されている場合には、ＵＳＢ規格に準拠した信号群（第１の信号群）とは異なる信号群（第２の信号群）をＵＳＢ  ＴＹＰＥ  ＣコネクタＡ１０８の各端子に割り当てている（図１０のＳ１０６，Ｓ１１０、図１４のＳ２０５、図１５のＳ３０５）。
かかる構成によれば、アダプタ装置２００が接続されていない場合には、ＵＳＢ規格に準拠した信号群をＵＳＢコネクタの各端子に割り当てているため、世の中に広く流通しているＵＳＢ規格による通信手段を備えた電子機器との通信が可能となる。また、アダプタ装置２００が接続されている場合には、ＵＳＢ規格に準拠した信号群とは異なる信号群をＵＳＢコネクタの各端子に割り当てているため、アダプタ装置２００を介した他のデバイスを利用することが可能となる。例えば、アダプタ装置２００が接続されている場合には、アダプタ装置２００に設けられたアクセサリーシュー２０４とリモートレリーズケーブル接続用コネクタ２１２とに対応した信号をＵＳＢコネクタの各端子に割り当てているため、アダプタ装置２００を介して外付けストロボ装置３２０とリモートレリーズケーブル３２１を利用することができる。
【０１５３】
さらに、上述した本実施形態では、システム制御回路Ａ１２１は、ＵＳＢ  ＴＹＰＥ  ＣコネクタＡ１０８にアダプタ装置２００が直接接続されているか否かを検知している（図１０のＳ１０５）。当該検知の処理を行うシステム制御回路Ａ１２１は、第３の検知手段を構成する。なお、上述した図１０の説明においては、当該検知の処理をシステム制御回路Ａ１２１が行うこととしているが、本実施形態においてはこれに限定されるものではなく、例えばコントローラＡ１２３が行うようにしてもよい。
そして、スイッチＡ１２２は、更に、上述した第３の検知手段による検知結果に応じて、ＵＳＢ  ＴＹＰＥ  ＣコネクタＡ１０８の各端子に割り当てる、上述した第２の信号群を変更している（図１０のＳ１０６，Ｓ１１１、図１４のＳ２０５、図１５のＳ３０５）。
【０１５４】
また、上述した本実施形態では、スイッチＡ１２２は、ＵＳＢ  ＴＹＰＥ  ＣコネクタＡ１０８にアダプタ装置２００が直接接続されているか否かに応じて、上述した第２の信号群を構成する少なくとも一部の信号をＵＳＢ  ＴＹＰＥ  ＣコネクタＡ１０８の異なる端子に割り当てるようにしている（図１３（ａ）と図１３（ｃ）等）。
【０１５５】
また、上述した本実施形態では、アダプタ装置２００は、他のデバイスと接続を行うための複数のＵＳＢ  ＴＹＰＥ  ＣコネクタＤ２０３，２０６及び２０７にＵＳＢ規格に準拠した通信を行うための信号を分岐させるＵＳＢハブ２２４（分岐部）を備えている。そして、当該他のデバイスがＵＳＢ規格とは異なる通信規格の通信（例えば上述したＡｌｔ通信）を行えるデバイスである場合には、ＵＳＢハブ２２４（分岐部）を経由しない通信を行うようにしている。
かかる構成によれば、例えば上述したＡｌｔ通信に対応したデバイスとの通信は、ＵＳＢハブ２２４を経由しないで通信を行うため、ＵＳＢ  ＴＹＰＥ  Ｃの仕様を満たしつつ、当該デバイスと通信を行うことができる。
【０１５６】
また、上述した本実施形態では、スイッチＡ１２２がＵＳＢ  ＴＹＰＥ  ＣコネクタＡ１０８の各端子に割り当てる信号群には、通信速度の異なる複数のＵＳＢ規格であるＵＳＢ２．０規格及びＵＳＢ３．１規格に準拠した通信を行うための信号が含まれている。
【０１５７】
（その他の実施形態）
図９及び図１３に示したデジタルカメラ１００のＵＳＢ  ＴＹＰＥ  ＣコネクタＡ１０８における各端子の信号割り当ては、一例を示したものに過ぎず、本発明の実施形態としてはこれに限定されるものではない。例えば、外付けストロボ装置３２０とリモートレリーズケーブル３２１を利用でき、且つ、ＵＳＢ規格の通信（更には、必要に応じてＡｌｔ通信）が可能な信号割り当てであれば、図９及び図１３に示した以外の信号割り当ても、本発明の実施形態に適用可能である。
【０１５８】
また、図２や図６〜図７に示すアダプタ装置２００では、ＵＳＢ  ＴＹＰＥ  ＣコネクタＤとして、３つのＵＳＢ  ＴＹＰＥ  ＣコネクタＤ２０３，２０６，２０７を構成する例について説明したが、本発明の実施形態としてはこれに限定されるものではない。例えば、ＵＳＢ  ＴＹＰＥ  ＣコネクタＤとして、３つよりも多いＵＳＢ  ＴＹＰＥ  ＣコネクタＤを設けてもよいし、また、３つよりも少ないＵＳＢ  ＴＹＰＥ  ＣコネクタＤを設けてもよい。
【０１５９】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
このプログラム及び当該プログラムを記憶したコンピュータ読み取り可能な記憶媒体は、本発明に含まれる。
【０１６０】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、または、その主要な特徴から逸脱することなく、様々な形で実施することができる。
【符号の説明】
【０１６１】
１００：デジタルカメラ（撮像装置）、１０８：ＵＳＢ  ＴＹＰＥ  ＣコネクタＡ、１２１：システム制御回路Ａ、１２２：スイッチＡ、１２３：コントローラＡ、２００：アダプタ装置、２０２：レリーズボタン、２０３，２０６，２０７：ＵＳＢ  ＴＹＰＥ  ＣコネクタＤ、２０４：アクセサリーシュー、２１０：ＵＳＢ  ＴＹＰＥ  Ｃプラグ、２１１：ＵＳＢ  ＴＹＰＥ  ＣコネクタＢ、２１２：リモートレリーズケーブル接続用コネクタ、２２１：スイッチＢ、２２２：コントローラＢ、２２３：電源回路、２２４：ＵＳＢハブ、２２５：ストロボ発光制御スイッチ、２２６：ストロボ発光制御回路、２２７：システム制御回路Ｂ、２２８：スイッチＣ
【図１】
2018117188.tif 000003
【図２】
2018117188.tif 000004
【図３】
2018117188.tif 000005
【図４】
2018117188.tif 000006
【図５】
2018117188.tif 000007
【図６】
2018117188.tif 000008
【図７】
2018117188.tif 000009
【図８】
2018117188.tif 000010
【図９】
2018117188.tif 000011
【図１０】
2018117188.tif 000012
【図１１】
2018117188.tif 000013
【図１２】
2018117188.tif 000014
【図１３】
2018117188.tif 000015
【図１４】
2018117188.tif 000016
【図１５】
2018117188.tif 000017